(57)【要約】【課題】この発明は、微弱な放射線によるマイナスイオン、及び遠赤外線を放射するとともに耐久性のある合成樹脂、あるいはそれを用いた成形体を提供することを目的とする。【解決手段】添加剤をポリウレタン１２、ポリウレタン２２ａ、ナイロン２３ａ、ポリウレタン３３ａ、および低反発性ポリウレタン４１ａに添加して形成した樹脂材であって、前記添加剤を、ラジウム粉末１５またはブラックシリカ粉末１４のうち少なくとも一方と、炭粉末１３とで構成し、前記ラジウム粉末１５の添加量を樹脂材全体の５〜１８重量％、前記ブラックシリカ粉末１４の添加量を樹脂材全体の１〜１０重量％、及び前記炭粉末１３の添加量を樹脂材全体の５〜２０重量％とした。【選択図】図１
2007197569.tif 000002
【特許請求の範囲】
【請求項１】
添加剤を主材に添加して形成した樹脂材であって、
前記添加剤を、ラジウムまたはブラックシリカのうち少なくとも一方と、炭とで構成した
樹脂材。
【請求項２】
前記ラジウムの添加量を全体の５〜１８重量％、前記ブラックシリカの添加量を全体の１〜１０重量％、及び前記炭の添加量を全体の５〜２０重量％とする
請求項１に記載の樹脂材。
【請求項３】
請求項１又は２の樹脂材の前記主材を、ポリウレタンで構成し、
互いに連通する多数の孔部を有する多孔質状に形成した
軟質ポリウレタンフォーム。
【請求項４】
前記ポリウレタンを、低反発性ポリウレタンで構成した
請求項３に記載の軟質ポリウレタンフォーム。
【請求項５】
請求項３または４の軟質ポリウレタンフォームを収容する収容部と、該収容部を身体の一部に装着する装着部を備えた
ウレタンフォーム装着具。
【請求項６】
請求項３または４の軟質ポリウレタンフォームにより成形したクッション材。
【請求項７】
成形された前記軟質ポリウレタンフォームを、ゲルマニウム入り繊維を織り込んだ布帛で被覆した
請求項６に記載のクッション材。
【請求項８】
請求項３または４の軟質ポリウレタンフォームを、身体に接触する接触部分の芯材に用いた椅子。
【請求項９】
請求項１又は２の樹脂材の主材を合成樹脂で構成し、前記樹脂材により繊維状に形成した
合成繊維。
【請求項１０】
請求項９の合成繊維を織り込んで形成した合成布帛。
【請求項１１】
請求項１又は２の樹脂材の主材を合成樹脂で構成し、前記樹脂材により布状に形成した合成不織布。
【請求項１２】
請求項１０の合成布帛又は請求項１１の合成不織布により帯状に形成し、該帯状の片面に接着層を備えた布テープ。
【請求項１３】
請求項５に記載のウレタンフォーム装着具の前記装着部を、
筒状に形成した請求項１０の合成布帛又は請求項１１の合成不織布で構成した
ウレタンフォーム装着具。
【請求項１４】
請求項１０の合成布帛又は請求項１１の合成不織布を縫製し、あるいは請求項８の合成繊維を編み込んで形成した衣服。
【発明の詳細な説明】
【技術分野】
【０００１】
この発明は、例えば微弱な放射線によって生成されるマイナスイオン、及び遠赤外線を放射する合成樹脂、あるいはそれを用いた成形体に関する。
【背景技術】
【０００２】
炭は、遠赤外線を放射するとともに、除菌、消臭、蓄熱効果を有することが知られている。炭の上記効果に加えて、微弱な放射線によって生成されるマイナスイオンによる効果を得るために織物炭化材層と放射性物質層とからなるシート状体が提案されている（特許文献１参照）。
【０００３】
上記シート状体は、天然靭皮繊維からなる糸を編み込んだ織物を炭化した織物炭化材層と、ラドン等の粉末状の放射性物質を面状に配した放射性物質層とを天然接着剤で固定したシート状の部材であり、遠赤外線による効果とマイナスイオンによる効果とが相乗効果として高まる。利用者がこれを身体に装着すると、前記シート状体の上記相乗効果によって血行等が促進させられる。
【０００４】
しかし、上記シート状体は、天然靭皮繊維からなる糸を編み込んだ織物を炭化して用いているため耐久性が低く、また織物炭化材層と、放射性物質層とを天然接着剤等で接着固定しているため、使用によって汚れた場合に洗うと放射性物質層が剥がれる惧れがあり、上記放射性物質層が剥がれた場合、上記血行促進等の効果を得ることができなかった。
【０００５】
【特許文献１】特開２００５−２１８６５１号公報
【発明の開示】
【発明が解決しようとする課題】
【０００６】
この発明は、微弱な放射線によるマイナスイオン、及び遠赤外線を放射するとともに、耐久性のある合成樹脂、あるいはそれを用いた成形体を提供することを目的とする。
【課題を解決するための手段】
【０００７】
この発明は、添加剤を主材に添加して形成した樹脂材であって、前記添加剤を、ラジウムまたはブラックシリカのうち少なくとも一方と、炭とで構成した樹脂材であることを特徴とする。  
前記主材に添加とは、樹脂材成形前に添加することを含む。
【０００８】
前記樹脂材とは、天然ゴム等の天然樹脂、あるいはポリエチレン、アクリル樹脂、ポリアミド、ポリエステル、ポリプロピレン、ポリ塩化ビニル、ポリスチレン、ＡＢＳ樹脂、ポリカーボネート、ナイロン、ポリアセタール、フッ素樹脂、ポリ塩化ビニリデン、ポリプタジエン、塩酸ゴム等の少なくとも一種、またはそれらの複数からなる合成樹脂を主材とする樹脂材であることを含む。  
前記ラジウム、ブラックシリカ、あるいは炭は、それぞれ粉末状、あるいは粒子状で形成されていることを含む。
【０００９】
これにより、成形された樹脂材中に、ラジウムまたはブラックシリカのうち少なくとも一方と、炭とを含有するため、ブラックシリカやラジウム、及び炭が主材から剥離することがなく、遠赤外線及びマイナスイオンを放射し、耐久性のある樹脂材を得ることができる。
【００１０】
この発明の態様として、前記ラジウムの添加量を全体の５〜１８重量％、前記ブラックシリカの添加量を全体の１〜１０重量％、及び前記炭の添加量を全体の５〜２０重量％とすることができる。  
これにより、十分に遠赤外線及びマイナスイオンを放射するとともに、主材による強度を確保できるため、遠赤外線及びマイナスイオンを放射し、耐久性のある樹脂材を形成することができる。
【００１１】
また、この発明の態様として、前記樹脂材の主材を、ポリウレタンで構成し、
互いに連通する多数の孔部を有する多孔質状の軟質ポリウレタンフォームを形成することができる。  
軟質ポリウレタンフォームとは、独立した多数の孔部を有し、硬く復元性のない硬質ポリウレタンフォームと比べて、柔らかく復元性のあるポリウレタンフォームであり、一般的に発泡倍率が約１０〜６０倍、見かけ密度が約１６〜１００ｋｇ／ｃｍ２程度のものをいう。  
これにより、遠赤外線及びマイナスイオンを放射するとともに、弾性、衝撃吸収性、復元性及び耐久性を有する軟質ポリウレタンフォームを形成することができる。  
【００１２】
また、この発明の態様として、前記ポリウレタンを、低反発性ポリウレタンで構成することができる。  
前記低反発性ポリウレタンは、例えば、指で押して変形させた後、指を離すと、そのまま変形を維持し、一定時間をかけて復元するようなゆっくりとした復元性を有する軟質ポリウレタンフォームを成形するポリウレタンであることを含む。  
これにより、普通の軟質ポリウレタンフォームより反発弾性率が非常に小さい低反発ポリウレタンフォームを形成することができる。
【００１３】
また、この発明の態様として、軟質ポリウレタンフォームを収容する収容部と、該収容部を身体の一部に装着する装着部を備えたウレタンフォーム装着具を形成することができる。  
前記ウレタンフォーム装着具は、軟質ポリウレタンフォームをパットとして収容する関節保護用のサポータ、アイマスク、あるいは軟質ポリウレタンフォームをフィルタとして収容するマスクであることを含む。  
これにより、遠赤外線及びマイナスイオンを放射する軟質ポリウレタンフォームを、肘や膝等の所望の箇所に装着することができ、遠赤外線及びマイナスイオンによる上記所望の箇所の血行促進等の効果を得ることができる。
【００１４】
また、この発明の態様として、前記軟質ポリウレタンフォームによりクッション材を形成することができる。  
前記クッション材は、前記軟質ポリウレタンフォームを芯材として用いるマット、枕、抱き枕又はクッションであることを含む。  
これにより、弾性、衝撃吸収性、復元性及び耐久性を有するとともに、遠赤外線及びマイナスイオンを放射するクッション材を形成することができ、遠赤外線及びマイナスイオンによる血行促進等の効果を利用者に与えることができる。
【００１５】
また、この発明の態様として、成形された前記軟質ポリウレタンフォームを、ゲルマニウム入り繊維を織り込んだ布帛で被覆したクッション材を形成することができる。  
前記ゲルマニウム入り繊維とは、ナイロン繊維、アラミド繊維、ポリエステル繊維、アクリル系繊維、ビニロン系繊維、ポリ塩化ビニル繊維、ビニリデン繊維、ポリエチレン繊維、ポリプロピレン繊維、またはポリウレタン繊維等の合成繊維にゲルマニウム粉末を練り込んで形成した繊維であることを含む。  
これにより、クッション材中に含有するラジウムまたはブラックシリカのうち少なくとも一方と、炭とが放射する遠赤外線及びマイナスイオンを布帛を介して利用者に照射するため、布帛に含有するゲルマニウムによってマイナスイオンが増加され、遠赤外線及びマイナスイオンによる利用者の血行促進等の効果を高めることができるとともに、利用者に保温作用を奏することができる。
【００１６】
また、この発明の態様として、前記軟質ポリウレタンフォームを、身体に接触する接触部分の芯材に用いた椅子を形成することができる。  
上記椅子とは、事務用や食卓用等の椅子、ソファ、座椅子、ロッキングチェア、安楽椅子、乗り物の座席、またはマッサージチェア等の普通人が座ることのできる椅子であることを含む。
【００１７】
上記身体に接触する接触部分は、該椅子に座った普通人が衣服を介して接触する部分であり、例えば、座面、背凭れ部、肘掛部、またはヘッドレスト等であることを含む。  
これにより、快適なクッション性を確保でき、軟質ポリウレタンフォームから遠赤外線及びマイナスイオンを照射するため、遠赤外線及びマイナスイオンによる血行促進等の効果を利用者に与えることができる。
【００１８】
また、この発明の態様として、前記樹脂材の主材を合成樹脂で構成し、前記樹脂材により繊維状の合成繊維を形成することができる。  
上記合成繊維は、ナイロン繊維、アラミド繊維、ポリエステル繊維、アクリル系繊維、ビニロン系繊維、ポリ塩化ビニル繊維、ビニリデン繊維、ポリエチレン繊維、ポリプロピレン繊維、またはポリウレタン繊維等であることを含む。  
これにより、遠赤外線及びマイナスイオンを放射するとともに、高強度、軽量、耐薬性、且つ耐久性を有する繊維を形成することができる。
【００１９】
また、この発明の態様として、合成繊維を織り込んで合成布帛を形成することができる。  
これにより、遠赤外線及びマイナスイオンを放射するとともに、高強度、軽量、耐薬性、且つ耐久性を有する布帛を形成することができる。
【００２０】
また、この発明の態様として、前記樹脂材の主材を合成樹脂で構成し、前記樹脂材により、布状の合成不織布を形成することができる。  
これにより、遠赤外線及びマイナスイオンを放射するとともに、高強度、軽量、耐薬性、且つ耐久性を有する不織布を形成することができる。
【００２１】
また、この発明の態様として、前記合成布帛又は前記合成不織布を帯状に形成し、該帯状の片面に接着層を備える布テープを形成することができる。  
これにより、遠赤外線及びマイナスイオンを放射するとともに、高強度、軽量、耐薬性、且つ耐久性を有する布テープを形成することができる。
【００２２】
また、この発明の態様として、前記ウレタンフォーム装着具の装着部を、筒状に形成した前記合成布帛又は前記合成不織布で構成することができる。  
これにより、軟質ポリウレタンフォームに加えて、装着部からも遠赤外線及びマイナスイオンを放射するため、遠赤外線及びマイナスイオンによる上記血行促進等の効果をさらに向上することができる。
【００２３】
また、この発明の態様として、前記合成布帛又は前記合成不織布を縫製し、あるいは前記合成繊維を編み込んで衣服を形成することができる。  
上記衣服とは、ベスト、チョッキ、ガウン、コート、又はＹシャツ等の上着、スラックス等のズボンやスカート、パンツ等の下着、あるいは靴下等であることを含む。  
これにより、前記合成布帛、前記合成不織布、あるいは前記合成繊維から遠赤外線及びマイナスイオンが放射されるため、上記衣服を着用した利用者は、遠赤外線及びマイナスイオンによる上記血行促進等の効果を得ることができる。
【発明の効果】
【００２４】
この発明によれば、微弱な放射線によるマイナスイオン、及び遠赤外線を放射するとともに耐久性のある合成樹脂、あるいはそれを用いた成形体を得ることができる。
【発明を実施するための最良の形態】
【００２５】
この発明の一実施形態を以下図面と共に説明する。
【実施例１】
【００２６】
岩盤浴テープ１の使用状態の斜視図を示す図１と、使用前の岩盤浴テープ１の斜視図を示す図２と、岩盤浴テープ１の構成の説明図を示す図３とともに、岩盤浴テープ１について説明する。  
岩盤浴テープ１は、例えば、図１に示すように、膝Ａ等の周囲に貼り付けることによって、膝Ａの正常な稼動範囲を超えないよう制限したり、貼り付けた部位の補強するテーピング用のテープであり、これによって怪我の予防、応急処置、あるいは怪我の再発を防止することができる。
【００２７】
岩盤浴テープ１は、図２に示すように、適宜の幅の帯部１０と、該帯部１０の片面に設けられた接着部１０ａとで多層構造に構成され、使用前は接着部１０ａを内側として芯材１９の外周側に巻付けている。なお、本実施例において、膝Ａ用の岩盤浴テープ１を示しているため、約５ｃｍの帯に形成しているが、これに限定されず、貼り付ける箇所にあわせた適宜の幅で形成すればよい。例えば、指に貼り付ける場合は約２ｃｍ程度の帯に形成すればよい。
【００２８】
帯部１０は、図３に示すように、主材となるポリウレタン１２に炭粉末１３、ブラックシリカ粉末１４、及びラジウム粉末１５を混入して、帯状に形成した軟質ウレタンフォームであり、適宜の弾力性を有する。
【００２９】
炭粉末１３は、木炭を粉砕した粉末体である。木炭は平均約１２オングストロームの大きさの穴が網の目状に形成されており、その穴によって化学物質や臭い等を吸着するとともに、マイナスイオンを生成し、遠赤外線を放射することができる。
【００３０】
なお、マイナスイオンは身体にもともと備わった生体防衛機能と自然治癒力とを活発にして免疫力及び内分泌ホルモンを向上させるとともに、プラスイオンによって酸化された身体を還元させることで新陳代謝を活発にすることができる。また、マイナスイオンは、体内のプラスイオンが血液中に侵入して起こるデコボコ状や団子状に連なった正常でない赤血球と結合し、該赤血球を正常な丸状に改善することができ、健康な血液を形成することができる。
【００３１】
また、遠赤外線は目視できない長波長の光線であり、物質の中心側の深部を温めることができる。したがって、遠赤外線を照射することによって、身体を芯から暖めて新陳代謝を活発にさせることができるとともに、発汗を促し、体内の毒素を体外に排出させることができる。
【００３２】
また、ブラックシリカ粉末１４は天然鉱石であるブラックシリカ（学名：黒鉛珪石）を粉砕した粉末体であり、天然ミネラルをふんだんに含み、遠赤外線や微弱な放射線（α線、β線、γ線）を安定して放射することができる。したがって、ブラックシリカ粉末１４は消臭、防菌、防カビ、防湿効果を有するとともに、身体に対し、血流の促進、発汗作用、痛みの緩和作用、暖め作用及び安眠作用を与えることができる。
【００３３】
ラジウム粉末１５は、オーストリアのザルツブルク市にあるガシュタイナー・ハイルシュトーレンの坑道内で採掘されるハイルシュトーレン鉱石を粉砕した粉末体である。  
ハイルシュトーレン鉱石（別名：バードガシュタイン鉱石）は、一般的な鉱石よりラジウムの含有率の高いラジウム鉱石であり、含有するラジウムがα線を放射しながら崩壊し、放射能を有するガス状のラドンを多く発生する。このラドンを呼吸によって体内に取込むことで抗酸化酸素ＳＯＤと抗酸化酸素ＧＰＸとの分泌を促し、体内の活性酸素を除去あるいは削除することができる。  
なお、本実施例において、ハイルシュトーレン鉱石を用いているが、これに限定されず、例えば、北投石や、北海道の南部で採掘される二股温泉ラジウム鉱石等の天然ラジウム鉱石、あるいは人工のラジウム鉱石を用いてもよい。
【００３４】
なお、微量の放射線が照射されることによって、生命体の免疫力及び成長が向上するため（以下「ホルシミス効果」という）、このホルシミス効果によって、温熱効果、新陳代謝、自然治癒力の向上、ストレス改善、活性酸素の除去を促進することができる。したがって、強直性脊椎炎、慢性進行性多発関節炎や軟組織リュウマチ、関節炎等のリュウマチ系疾患、喘息、気管支炎、慢性気管支炎等の呼吸器系疾患、および乾癬（かんせん）、強皮症等の皮膚疾患に効果があるとされている。また、新陳代謝の活発化によって便秘等の排便障害を改善することができる。
【００３５】
なお、図３中において、炭粉末１３を四角形状で示し、ブラックシリカ粉末１４を丸で示し、ラジウム粉末１５を三角形に示しているが、帯部１０内に炭粉末１３、ブラックシリカ粉末１４及びラジウム粉末１５の３種類を含有することを理解しやすくするために示したものであり、それぞれの形状や大きさを示すものではなく、本実施例においては、それぞれが目視できない程度の粒径の粉体である。
【００３６】
炭粉末１３は、帯部１０に対して約５〜２０重量％を含有するが、約１０重量％の含有量がより好ましい。また、ブラックシリカ粉末１４は、帯部１０に対して約１〜１０重量％を含有するが、約２重量％の含有量がより好ましい。さらに、ラジウム粉末１５は、帯部１０に対して約５〜１８重量％を含有するが、約８重量％の含有量がより好ましい。
【００３７】
それぞれの含有量が上記下限値を下回る場合は十分な上記ホルシミス効果やそれぞれの効果を得ることができず、上記上限値を上回る場合はポリウレタン１２の十分な強度を確保できないため、帯部１０の強度低下する惧れがある。
【００３８】
上述した構成により、図１に示すように、適切なテーピング方法で膝Ａ周辺に岩盤浴テープ１を貼り付けて、膝Ａの正常な稼動範囲を超えないよう制限することができ、また、怪我等で弱まった部位の補強することができ、怪我の予防、応急処置、あるいは怪我の再発を防止することができる。
【００３９】
また、帯部１０に炭粉末１３、ブラックシリカ粉末１４及びラジウム粉末１５を含有することによって、ブラックシリカ粉末１４及びラジウム粉末１５から放射される微量の放射線によって生じる上記ホルシミス効果による上記温熱効果、新陳代謝、自然治癒力の向上、ストレス改善、活性酸素の除去等の効果を、炭粉末１３によって生成されるマイナスイオン及び遠赤外線によってさらに促進することができる。したがって、強直性脊椎炎、慢性進行性多発関節炎や軟組織リュウマチ、関節炎等のリュウマチ系疾患、喘息、気管支炎、慢性気管支炎等の呼吸器系疾患、および乾癬（かんせん）、強皮症等の皮膚疾患を効率よく改善することができ、利用者の満足度を向上させることができる。
【００４０】
なお、以下において、帯部１０に炭粉末１３、ブラックシリカ粉末１４及びラジウム粉末１５を含有することによる相乗効果によって、さらに促進されたホルシミス効果を、秋田県の玉川温泉を発祥とする岩盤浴にちなんで、「岩盤浴効果」と言う。
【００４１】
また、岩盤浴テープ１を貼り付けることによって、炭粉末１３による化学物質や臭い等を吸着するとともに、ブラックシリカ粉末１４による消臭、防菌、防カビ、防湿効果、身体に対する血流の促進、発汗作用、痛みの緩和作用、暖め作用及び安眠作用を与えることができる。
【００４２】
なお、本実施例においては、膝Ａ周辺に岩盤浴テープ１を貼り付けているが、肘周辺、手首周辺、首周辺あるいは指に貼り付けてもよい。これにより、所望の箇所に上記岩盤浴テープ１による岩盤浴効果を得ることができ、利用者の満足度を向上させることができる。
【００４３】
また、所謂合成樹脂に炭粉末１３、ブラックシリカ粉末１４及びラジウム粉末１５を混入し、その合成樹脂で形成した不織布や合成布帛で上記帯部１０を構成すれば本実施例における岩盤浴テープ１と同様の効果を得ることができる。
【実施例２】
【００４４】
岩盤浴靴下２０の正面図を示す図４と、岩盤浴靴下２０の拡大正面図を示す図５、岩盤浴繊維２１の構造を説明する説明図を示す図６とともに、岩盤浴靴下２０及び岩盤浴繊維２１について説明する。  
岩盤浴靴下２０は、脛中央付近までの長さを有するビジネス用といわれる一般的な形状の靴下であり、岩盤浴繊維２１を例えば、リブ網という編み方で編み込んで上記形状に形成している。
【００４５】
岩盤浴繊維２１は、芯糸２２と、芯糸２２を被覆する被覆糸２３とで構成されている。芯糸２２は、ポリウレタン２２ａを主成分とし、炭粉末１３、ブラックシリカ粉末１４、及びラジウム粉末１５を混入して繊維状に形成した弾性を有するポリウレタン弾性糸であり、被覆糸２３は、ナイロン２３ａを主成分とし、炭粉末１３、ブラックシリカ粉末１４、及びラジウム粉末１５を混入して繊維状に形成したナイロン繊維で構成している。
【００４６】
なお、図２と同様に、図６中において、炭粉末１３を四角形状で示し、ブラックシリカ粉末１４を丸で示し、ラジウム粉末１５を三角形に示しているが、岩盤浴繊維２１内に炭粉末１３、ブラックシリカ粉末１４及びラジウム粉末１５の３種類を含有することを理解しやすくするために示したものであり、それぞれの形状や大きさを示すものではなく、本実施例においては、それぞれが目視できない程度の粒径の粉体である。
【００４７】
なお、炭粉末１３は、芯糸２２又は被覆糸２３に対して約５〜２０重量％を含有するが、約１０重量％の含有量がより好ましい。また、ブラックシリカ粉末１４は、芯糸２２又は被覆糸２３に対して約１〜１０重量％を含有するが、約２重量％の含有量がより好ましい。さらに、ラジウム粉末１５は、芯糸２２又は被覆糸２３に対して約５〜１８重量％を含有するが、約８重量％の含有量がより好ましい。
【００４８】
それぞれの含有量が上記下限値を下回る場合は十分な上記岩盤浴効果を得ることができず、上記上限値を上回る場合は芯糸２２又は被覆糸２３の十分な強度を確保できないため、岩盤浴靴下２０が強度低下する惧れがある。
【００４９】
上記構成により、岩盤浴靴下２０は炭粉末１３によって化学物質や臭い等を吸着するとともに、岩盤浴靴下２０を着用した利用者に、上記岩盤浴効果を与えることができ、ブラックシリカ粉末１４による消臭、防菌、防カビ、防湿効果、身体に対する血流の促進、発汗作用、痛みの緩和作用、暖め作用及び安眠作用を与えることができる。
【００５０】
したがって、暖め作用によって足先を暖めることで全身を暖めることができるとともに、岩盤浴靴下２０を着用して就寝した利用者に対して、足先を暖めることで上記安眠作用を促進することができる。また、炭粉末１３の臭い吸着作用とブラックシリカ粉末１４の消臭、及び防菌作用によって、雑菌による靴を脱いだ後の足の悪臭を防止することができ、着用者の満足度を向上させることができる。
【００５１】
なお、ポリウレタン２２ａは、着用した利用者の足を適度に締め付ける程度の適宜の弾性を有すればよく、例えばラテックスを主成分とするゴム糸で構成してもよい。また、ナイロン２３ａは、岩盤浴靴下２０の風合いに合わせてポリエステルやアクリルを主成分とするポリエステル繊維やアクリル繊維で構成してもよい。
【００５２】
また、岩盤浴繊維２１でレッグウォーマーを形成してよい。これにより、寒い時期に足つりやこむら返りの生じやすい利用者が着用した場合、上記岩盤浴効果や暖め効果によって、足つりやこむら返りが生じることを防止できる。
【００５３】
また、岩盤浴繊維２１で手袋を形成してよい。これにより、寒い時期に指の節等の関節痛がある利用者が着用した場合、上記岩盤浴効果や暖め効果によって、関節痛を和らげることができる。また、手にアカギレ等がある利用者が着用した場合、上記岩盤浴効果や新陳代謝の促進によって、アカギレが改善されるため利用者の満足度を向上させることができる。
【００５４】
また、岩盤浴繊維２１で、例えば図７に示す岩盤浴ベスト６０のような衣服を形成してよい。詳述すると、岩盤浴ベスト６０は、例えば図５に示すようなリブ網、あるいは平織りといった様々な編み方によって上記岩盤浴繊維２１を編み込んで形成している。これにより、寒い時期に肩等の関節痛や腰痛がある利用者が着用した場合、岩盤浴繊維２１に含有する炭粉末１３、ブラックシリカ粉末１４及びラジウム粉末１５による上記岩盤浴効果や暖め効果によって、関節痛や腰痛を和らげることができる。また、所謂合成樹脂に炭粉末１３、ブラックシリカ粉末１４及びラジウム粉末１５を混入し、その合成樹脂で形成した不織布や合成布帛を縫製してベスト等の服を構成してもよく、この場合においても、岩盤浴繊維２１を編み込んで形成した岩盤浴ベスト６０と同様の効果を得ることができる。
【００５５】
また、岩盤浴繊維２１でパンティ等の女性用下着を形成してよい。これにより、冷やすことで悪化する婦人病を、上記岩盤浴効果や暖め効果によって改善することができる。
【実施例３】
【００５６】
使用状態の岩盤浴サポータ３０の斜視図を示す図８と、岩盤浴サポータ３０の説明図を示す図９と、岩盤浴パット３３の拡大断面図を示す図１０とともに、岩盤浴サポータ３０及び岩盤浴パット３３について説明する。  
岩盤浴サポータ３０は、筒状のサポータ部３１と、サポータ部３１の表面に備えたポケット状のパット収容部３２と、該パット収容部３２に収容する岩盤浴パット３３とで構成している。
【００５７】
サポータ部３１は、伸縮性を有する合成繊維を所謂ゴム網で編み込んで筒状に形成している。なお、上記筒状は、普通人の足の外周よりわずかに小さな大きさに形成するとともに、上下端部に伸縮可能且つ上記筒状部より絞られた絞り部３１ａを備えている。
【００５８】
パット収容部３２は、略四角形に形成したサポータ部３１と同質の素材の外縁付近を凹状に、サポータ部３１に縫合することで、ポケット状に形成している。なお、パット収容部３２の正面サイズは、後述する岩盤浴パット３３の正面サイズよりわずかに大きく形成している。これにより、パット収容部３２に収容した岩盤浴パット３３の周囲の隙間を減らすことができ、また、サポータ部３１とパット収容部３２の伸縮力によって岩盤浴パット３３を適度に押さえつけることができるため、岩盤浴パット３３がパット収容部３２から不用意に抜け出ることを防止している。
【００５９】
また、パット収容部３２をサポータ部３１の高さ方向中央より下側に縫着しているため、パット収容部３２に収容した岩盤浴パット３３が膝Ａの前方下側となるようにサポータ部３１で膝Ａ周辺を囲繞するように足に装着して使用することができる。
【００６０】
岩盤浴パット３３は、適宜の厚みを有する正面視縦長の略四角形に形成し、正面と背面とを貫通する貫通孔３４を適宜の間隔を隔てて格子状に複数備えている。  
また、岩盤浴パット３３は、図１０に示すように、主材をポリウレタン３３ａで構成し、ポリウレタン３３ａを成形時に発泡させて、それぞれが連通する孔部３３ｂを備えた軟質ポリウレタンフォームで形成している。
【００６１】
さらに、岩盤浴パット３３は、成形前のポリウレタン３３ａに粉末状の炭粉末１３、ブラックシリカ粉末１４及びラジウム粉末１５を混入して成形した軟質ポリウレタンフォームである。したがって、図１０のａ部の拡大図に示すように、岩盤浴パット３３内には、炭粉末１３、ブラックシリカ粉末１４及びラジウム粉末１５が略全範囲にわたって点在している。なお、図２と同様に、図１０中において、炭粉末１３を四角形状で示し、ブラックシリカ粉末１４を丸で示し、ラジウム粉末１５を三角形に示しているが、岩盤浴パット３３内に炭粉末１３、ブラックシリカ粉末１４及びラジウム粉末１５の３種類を含有することを理解しやすくするために示したものであり、それぞれの形状や大きさを示すものではなく、本実施例においては、それぞれが目視できない程度の粒径の粉体である。
【００６２】
炭粉末１３は、岩盤浴パット３３に対して約５〜２０重量％を含有するが、約１０重量％の含有量がより好ましい。また、ブラックシリカ粉末１４は、岩盤浴パット３３に対して約１〜１０重量％を含有するが、約２重量％の含有量がより好ましい。さらに、ラジウム粉末１５は、岩盤浴パット３３に対して約５〜１８重量％を含有するが、約８重量％の含有量がより好ましい。  
それぞれの含有量が上記下限値を下回る場合は十分な上記岩盤浴効果を得ることができず、上記上限値を上回る場合は岩盤浴パット３３の十分な強度を確保できず、強度低下する惧れがある。
【００６３】
上記構成により、炭粉末１３によって化学物質や臭い等を吸着し、岩盤浴パット３３は、利用者に上記岩盤浴効果を与えることができるとともに、ブラックシリカ粉末１４による消臭、防菌、防カビ、防湿効果、身体に対する血流の促進、発汗作用、痛みの緩和作用、暖め作用及び安眠作用を与えることができ、膝Ａの関節痛のある着用者の満足度を向上させることができる。
【００６４】
また、岩盤浴パット３３を、互いに連通する孔部３３ｂを有する軟質ウレタンフォームで形成したことにより、図１０のａ部の拡大図の矢印ａに示すように、岩盤浴効果を奏するラドンガス、遠赤外線、ならびにマイナスイオンが孔部３３ｂを通過するため、サポータ部３１を介して膝Ａに作用し、より効率のよい岩盤浴効果を与えることができる。
【００６５】
また、岩盤浴パット３３に、複数の貫通する貫通孔３４を備えたことにより、矢印ｂに示すように、孔部３３ｂを通過するラドンガス、遠赤外線、ならびにマイナスイオンを貫通孔３４で集約して膝Ａに作用することができるため、さらに効率のよい岩盤浴効果を与えることができる。
【００６６】
また、成形前のポリウレタン３３ａに粉末状の炭粉末１３、ブラックシリカ粉末１４及びラジウム粉末１５を混入して、軟質ポリウレタンフォームを成形しているため、使用によって岩盤浴パット３３が汚れ、岩盤浴パット３３を洗濯した場合であっても、炭粉末１３、ブラックシリカ粉末１４及びラジウム粉末１５がマットクッション材４１から剥離することがなく、清潔な岩盤浴パット３３によって半恒久的に岩盤浴効果を与えることができる。
【００６７】
なお、サポータ部３１を構成する合成繊維を、実施例２で用いた岩盤浴繊維２１（図６）で構成してもよい。利用者は、岩盤浴繊維２１で構成した岩盤浴サポータ３０を装着することによって、高い岩盤浴効果を得ることができる。
【００６８】
また、本実施例において、膝用の岩盤浴サポータ３０について説明したが、肘用、手首用、方用等のあらゆるサポータに適用することができる。また、適宜の幅と弾性力を有する帯状のバンド部の両端に面ファスナを備えて腰用の保護バンドを構成してもよく、この場合においても、上記バンド部の腰部中央付近となる箇所に岩盤浴パット３３を収容できるパット収容部３２を備えればよい。また、上記バンド部を岩盤浴繊維２１で構成してもよい。これによって、本実施例と同様の効果を得ることができ、腰痛を患っている利用者の満足度を向上させることができる。
【実施例４】
【００６９】
岩盤浴アイマスク７０の斜視図を示す図１１とともに、岩盤浴アイマスク７０及びアイマスクパット７３について説明する。  
岩盤浴アイマスク７０は、マスク部７１と、該マスク部７１の左右両側に供えた取付ゴム７２と、該マスク部７１に内在するアイマスクパット７３とで構成している。
【００７０】
取付ゴム７２は、伸縮性を有するゴムひもであり、両端をマスク部７１の側辺に上下方向の間隔を隔てて縫合することで、無端状に形成し、マスク部７１の左右両側に備えている。利用者は、取付ゴム７２を左右の耳に係止することによって、両目を覆うようにして岩盤浴アイマスク７０を装着することができる。
【００７１】
マスク部７１は、２枚の正面視メガネ状の布帛を、間にアイマスクパット７３を挟んで前後に重ね合わせ、各メガネ状の布帛の外縁を縫合することで内側にアイマスクパット７３を内在させるメガネ状のマスク部７１を形成している。  
アイマスクパット７３は、利用者が岩盤浴アイマスク７０を装着した際に、アイマスクパット７３とともにマスク部７１が湾曲して利用者の顔面形状にフィットする程度に湾曲できる適宜の厚みを有する正面視メガネ状に形成している。
【００７２】
また、アイマスクパット７３は、成形前のポリウレタンに粉末状の炭粉末１３、ブラックシリカ粉末１４及びラジウム粉末１５を混入して成形した実施例３の岩盤浴パット３３と同様の軟質ポリウレタンフォームである。したがって、図１０のａ部の拡大図と同様に、アイマスクパット７３内には、炭粉末１３、ブラックシリカ粉末１４及びラジウム粉末１５が略全範囲にわたって点在している。また、炭粉末１３、ブラックシリカ粉末１４、またはラジウム粉末１５のアイマスクパット７３に対する含有量も実施例３の岩盤浴パット３３と同様の範囲であればよい。
【００７３】
上記構成により、炭粉末１３によって化学物質や臭い等を吸着し、アイマスクパット７３は、利用者に上記岩盤浴効果を与えることができるとともに、ブラックシリカ粉末１４による消臭、防菌、防カビ、防湿効果、身体に対する血流の促進、発汗作用、痛みの緩和作用、暖め作用及び安眠作用を与えることができ、眼精疲労や視力低下のある着用者の満足度を向上させることができる。
【００７４】
なお、マスク部７１を、上述した天然ゲルマニウム鉱石粉末とジルコニウム鉱石粉末とをセルロース系の再生繊維であるレーヨンに練り込んだ機能性繊維（図示省略）による布帛で構成してもよく、この場合も、岩盤浴効果を奏するラドンガス、遠赤外線、ならびにマイナスイオンが該布帛を介して利用者の眼球周辺の顔面に作用するため、該布帛に含有するゲルマニウム鉱石粉末及びジルコニウム鉱石粉末によるマイナスイオン放射及び保温作用によって、上記岩盤浴効果を高めることができる。
【実施例５】
【００７５】
岩盤浴マスク８０の斜視図を示す図１１とともに、岩盤浴マスク８０及びマスクフィルタ８３について説明する。  
岩盤浴マスク８０は、マスク部８１と、該マスク部８１の左右両側に供えた取付ゴム８２と、該マスク部８１に内在するマスクフィルタ８３とで構成している。
【００７６】
取付ゴム８２は、伸縮性を有するゴムひもであり、両端をマスク部８１の側辺の上下端に取付けることで、無端状に形成し、マスク部８１の左右両側に備えている。利用者は、取付ゴム８２を左右の耳に係止することによって、口と鼻とを覆うようにして、岩盤浴マスク８０を装着することができる。
【００７７】
マスク部８１は、２枚の正面視長方形の布帛を、間にマスクフィルタ８３を挟んで前後に重ね合わせ、各長方形の布帛の外縁を縫合することで内側にマスクフィルタ８３を内在させる長方形のマスク部８１を形成している。
【００７８】
また、マスクフィルタ８３は、成形前のポリウレタンに粉末状の炭粉末１３、ブラックシリカ粉末１４及びラジウム粉末１５を混入して成形した実施例３の岩盤浴パット３３と同様の軟質ポリウレタンフォームを、肉厚を薄くして形成している。詳述すると、図１０のａ部の拡大図と同様に、マスクフィルタ８３内には、炭粉末１３、ブラックシリカ粉末１４及びラジウム粉末１５が略全範囲にわたって点在するとともに、孔部を有している。また、花粉やほこり等がマスクフィルタ８３を通過せず、呼吸をできるだけ妨げない程度の肉厚に形成している。なお、炭粉末１３、ブラックシリカ粉末１４、またはラジウム粉末１５のマスクフィルタ８３に対する含有量も実施例３の岩盤浴パット３３と同様の範囲であればよい。
【００７９】
上記構成により、炭粉末１３によって化学物質や臭い等を吸着し、マスクフィルタ８３は、利用者に上記岩盤浴効果を与えることができるとともに、ブラックシリカ粉末１４による消臭、防菌、防カビ、防湿効果、身体に対する血流の促進、発汗作用、痛みの緩和作用、暖め作用及び安眠作用を与えることができ、着用者の満足度を向上させることができる。
【００８０】
なお、マスク部８１を、上述した天然ゲルマニウム鉱石粉末とジルコニウム鉱石粉末とをセルロース系の再生繊維であるレーヨンに練り込んだ機能性繊維（図示省略）による布帛で構成してもよく、この場合も、岩盤浴効果を奏するラドンガス、遠赤外線、ならびにマイナスイオンが該布帛を介して利用者の口や鼻部分に作用するため、該布帛に含有するゲルマニウム鉱石粉末及びジルコニウム鉱石粉末によるマイナスイオン放射及び保温作用によって、上記岩盤浴効果を高めることができる。
【実施例６】
【００８１】
岩盤浴マット４０の斜視図を示す図１３と、マットクッション材４１の拡大断面図を示す図１４と、使用状態の岩盤浴マット４０の幅方向中央付近の縦断面図を示す図１５とともに、岩盤浴マット４０について説明する。  
岩盤浴マット４０は、普通人が上面に横たわった状態でクッション性を確保できる適宜の厚みを有する平面視略正方形のマットクッション材４１と、配置した２つの該マットクッション材４１を囲繞するマットカバー４２とで構成し、上面に普通人が横たわることのできる平面視縦長の略長方形のマットである。
【００８２】
マットカバー４２は、長辺側面の縦方向中央付近に、長辺方向で開閉自在なファスナ（図示省略）を備え、マットカバー４２内部にマットクッション材４１を出し入れ可能に構成している。また、マットカバー４２は天然ゲルマニウム鉱石粉末とジルコニウム鉱石粉末とをセルロース系の再生繊維であるレーヨンに練り込んだ機能性繊維（図示省略）による布帛で構成している。
【００８３】
マットクッション材４１は、上面と下面とを貫通する適宜の径を有する貫通孔４３を適宜の間隔を隔てて複数備えている。  
なお、マットクッション材４１は、図１４に示すように、主材を低反発性ポリウレタン４１ａで構成し、低反発性ポリウレタン４１ａを成形時に発泡させて、それぞれが連通する孔部４１ｂを備えた低反発性ポリウレタンフォームで形成している。通常のポリウレタンは、ポリオールとポリイソシアネートを主成分として構成するが、このうちポリオールの構造を変更させて、粘弾性的に変性させたものが低反発性ポリウレタンである。
【００８４】
さらに、マットクッション材４１は、成形前の低反発性ポリウレタン４１ａに、粉末状の炭粉末１３、ブラックシリカ粉末１４及びラジウム粉末１５を混入して、低反発性ポリウレタンフォームを成形している。したがって、図１４のａ部の拡大図に示すように、マットクッション材４１内には、炭粉末１３、ブラックシリカ粉末１４及びラジウム粉末１５が略全範囲にわたって点在している。なお、図２と同様に、図１４中において、炭粉末１３を四角形状で示し、ブラックシリカ粉末１４を丸で示し、ラジウム粉末１５を三角形に示しているが、マットクッション材４１内に炭粉末１３、ブラックシリカ粉末１４及びラジウム粉末１５の３種類を含有することを理解しやすくするために示したものであり、それぞれの形状や大きさを示すものではなく、本実施例においては、それぞれが目視できない程度の粒径の粉体である。
【００８５】
炭粉末１３は、マットクッション材４１に対して約５〜２０重量％を含有するが、約１０重量％の含有量がより好ましい。また、ブラックシリカ粉末１４は、マットクッション材４１に対して約１〜１０重量％を含有するが、約２重量％の含有量がより好ましい。さらに、ラジウム粉末１５は、マットクッション材４１に対して約５〜１８重量％を含有するが、約８重量％の含有量がより好ましい。  
それぞれの含有量が上記下限値を下回る場合は十分な上記岩盤浴効果を得ることができず、上記上限値を上回る場合はマットクッション材４１の十分な強度を確保できず、強度低下する惧れがある。
【００８６】
上記構成である岩盤浴マット４０を、図１５に示すように、一般的な敷き布団５１の上に、岩盤浴マット４０を敷設し、岩盤浴マット４０の上に寝転がり、上から掛け布団５２を掛けて利用する。
【００８７】
上記構成により、岩盤浴マット４０は炭粉末１３によって化学物質や臭い等を吸着するとともに、利用者に上記岩盤浴効果を与えることができ、ブラックシリカ粉末１４によって消臭、防菌、防カビ、防湿効果、身体に対する血流の促進、発汗作用、痛みの緩和作用、暖め作用及び安眠作用を与えるため、着用者の満足度を向上させることができる。
【００８８】
また、マットクッション材４１を、互いに連通する孔部４１ｂを有する低反発性ウレタンフォームで形成したことにより、図１４のａ部の拡大図の矢印ａに示すように、岩盤浴効果を奏するラドンガス、遠赤外線、ならびにマイナスイオンが孔部４１ｂを通過するため、マットカバー４２を介して横たわった身体に作用し、より効率のよい岩盤浴効果を与えることができる。
【００８９】
また、マットクッション材４１に、複数の貫通する貫通孔４３を備えたことにより、矢印ｂに示すように、孔部４１ｂを通過するラドンガス、遠赤外線、ならびにマイナスイオンを貫通孔４３で集約して身体に作用することができるため、さらに効率のよい岩盤浴効果を与えることができる。
【００９０】
さらに、マットクッション材４１をマットカバー４２でカバーしたことによって、岩盤浴効果を奏するラドンガス、遠赤外線、ならびにマイナスイオンがマットカバー４２を介して身体に作用するため、マットカバー４２のゲルマニウム鉱石粉末及びジルコニウム鉱石粉末によるマイナスイオン放射及び保温作用によって、上記岩盤浴効果を高めることができる。
【００９１】
なお、成形前の低反発性ポリウレタン４１ａに粉末状の炭粉末１３、ブラックシリカ粉末１４及びラジウム粉末１５を混入して、低反発性ポリウレタンフォームを成形しているため、使用によってマットクッション材４１が汚れ、マットクッション材４１を洗濯した場合であっても、炭粉末１３、ブラックシリカ粉末１４及びラジウム粉末１５がマットクッション材４１から剥離することがなく、清潔なマットクッション材４１によって半恒久的に岩盤浴効果を与えることができる。
【００９２】
なお、掛け布団５２の布団カバーを、天然ゲルマニウム鉱石粉末とジルコニウム鉱石粉末とをセルロース系の再生繊維であるレーヨンに練り込んだ上記機能性繊維による布帛で構成してもよい。これにより、マットカバー４２と同様に、布団カバーのゲルマニウム鉱石粉末及びジルコニウム鉱石粉末によるマイナスイオン放射及び保温作用によって、上記岩盤浴効果をさらに高めることができる。  
また、岩盤浴マット４０単体を床やベッド上に敷設してもよく、その場合も本実施例の上記効果と同様の効果を得ることができる。
【００９３】
なお、マットクッション材４１に上記貫通孔４３を設けず、上記孔部４１ｂを大きく形成し、孔部４１ｂを通過するラドンガス、遠赤外線、ならびにマイナスイオンの通過量を増大させてもよい。  
この場合、貫通孔４３を設けた場合と同様のより効率のよい岩盤浴効果を与えることができるとともに、貫通孔４３を設けたマットクッション材４１より荷重支持力の高いマットクッション材を形成することができる。
【００９４】
また、岩盤浴マット４０を、奥行方向に直列配置した３つの岩盤浴マット体４５で構成してもよい。なお、各岩盤浴マット体４５は、適宜の寸法を有する直方体形状の上記マットクッション材４１と、マットクッション材４１の外周を囲繞する上記マットカバー４２とで構成している。
【００９５】
この場合、図１６に示すように、底面側に備えた面ファスナ４６で接続して、利用者が横たわることのできる平面寸法、および適宜の肉厚に形成している。詳述すると、面ファスナ４６は、底面視四角形の鉤状側面ファスナ４６ａと、岩盤浴マット体４５のマットカバー４２底面の対向箇所に備えたループ状側面ファスナ４６ｂとで構成し、底面視四角形の鉤状側面ファスナ４６ａとループ状側面ファスナ４６ｂとで接着させて各岩盤浴マット体４５を接続している。  
なお、岩盤浴マット体４５の各接続部分の対向側面のマットカバー４２に、面ファスナ４６を設けてもよい。
【００９６】
上記構成により、面ファスナ４６によって容易に岩盤浴マット体４５を脱着することができるため、利用者は岩盤浴マット４０を岩盤浴マット体４５に分割して収容等することができ、利用者の利便性が高まる。  
また、岩盤浴マット体４５を岩盤浴マット４０を奥行方向に均等に３分割した寸法で形成し、それぞれのマットクッション材４１を変形可能な低反発性軟質ウレタンフォームで形成したことにより、岩盤浴マット体４５を折り曲げて一般的な家庭用の洗濯機に投入でき、該洗濯機で洗濯可能であるため、利用者の利便性をさらに高めるとともに、衛生的な岩盤浴マット体４５によって半恒久的に岩盤浴効果を与えることができる。
【００９７】
また、岩盤浴マット体４５と同様の構成で枕や抱き枕を構成してもよい。これにより、該枕や抱き枕を用いて就寝した利用者に、岩盤浴マット体４５と同様の効果を与えることができるため、利用者の利便性を高めるとともに、満足度を向上することができる。
【００９８】
また、マットクッション材４１を、座椅子や車両用座席あるいは図１７に示すよう岩盤浴チェア９０のクッション材に用いてもよい。  
詳述すると、岩盤浴チェア９０は、平面視略四角形の座面部９１と、該座面部９１の背部側上方に前方向きに備えた背凭れ部９２と、座面部９１を高さ調整、及び移動可能に支持する脚部９３とで構成し、利用者は背凭れ部９２に凭れかかって座面部９１に座ることができる。座面部９１及び背凭れ部９２は、樹脂製の台座部のそれぞれの利用者側面にマットクッション材４１を配し布製のカバーで囲繞して固定している。したがって、岩盤浴チェア９０は、マットクッション材４１に含有する炭粉末１３によって化学物質や臭い等を吸着するとともに、利用者に上記岩盤浴効果を与えることができ、ブラックシリカ粉末１４によって消臭、防菌、防カビ、防湿効果、身体に対する血流の促進、発汗作用、痛みの緩和作用、暖め作用及び安眠作用を与えるため、利用者の満足度を向上させることができる。さらに、長時間座ることの多い利用者にとっては、岩盤浴チェア９０に座るだけで、上記血流が促進されて足のむくみや腰痛等を解消できるため、利便性が高まる。
【００９９】
また、図７に示すような岩盤浴ベスト６０を、中綿としてマットクッション材４１を用いて構成してもよい。詳述すると、一般的に販売されているようなベストの中綿の代用として適宜の形状に加工したマットクッション材４１を用いる。これにより、一般的に販売されているベストを岩盤浴ベスト６０として改良して利用することができ、この場合においても、岩盤浴繊維２１を編み込んで形成した岩盤浴ベスト６０と同様の効果を得ることができる。また、この場合マットクッション材４１は、低反発性ウレタンフォームに限らず、軟質ウレタンフォームで形成してもよい。
【０１００】
さらに、マットクッション材４１をスリッパの足裏部分の芯材、布団や座布団のクッション材、肩パット、ヌイグルミの詰物、絨毯の裏材等に用いてもよく、その場合も、本実施例におけるマットクッション材４１による岩盤浴効果等の上記効果と同様の効果を得ることができる。
【０１０１】
また、図示省略するが、ウレタン系等を主材とする塗料にブラックシリカ粉末１４またはラジウム粉末１５の少なくとも一方と、炭粉末１３とを混入して、岩盤浴塗料を構成してもよい。この場合、炭粉末１３を塗料全体に対して約５〜２０重量％含有すればよく、約１０重量％の含有量がより好ましい。ブラックシリカ粉末１４を塗料全体に対して約１〜１０重量％含有すればよく、約２重量％の含有量がより好ましい。ラジウム粉末１５を塗料全体に対して約５〜１８重量％含有すればよく、約８重量％の含有量がより好ましい。
【０１０２】
それぞれの含有量が上記下限値を下回る場合は十分な上記岩盤浴効果を得ることができず、上記上限値を上回る場合は硬化後の塗料の十分な強度を確保できず、塗装面の耐久性が低下する惧れがある。
【０１０３】
日常の生活において、室内の壁面等の内装や家具等の身の回りにあるものをこの岩盤浴塗料で塗装することによって、岩盤浴塗料から、岩盤浴効果を奏するラドンガス、遠赤外線、ならびにマイナスイオンを放射することができ、利用者は、日常生活の中で岩盤浴効果を得ることができ、利用者の利便性を高めることができる。
【０１０４】
この発明の構成と、上述の実施形態との対応において、
この発明の主材は、ポリウレタン１２、ポリウレタン２２ａ、ナイロン２３ａ、ポリウレタン３３ａ、および低反発性ポリウレタン４１ａに対応し、
以下同様に、
ラジウムは、ラジウム粉末１５に対応し、
ブラックシリカは、ブラックシリカ粉末１４に対応し、
炭は、炭粉末１３に対応し、
ポリウレタンは、ポリウレタン３３ａ、および低反発性ポリウレタン４１ａに対応し、
収容部は、パット収容部３２、マスク部７１又はマスク部８１に対応し、
装着部は、サポータ部３１、取付ゴム７２又は取付ゴム８２に対応し、
軟質ポリウレタンフォームは、岩盤浴パット３３、アイマスクパット７３又はマスクフィルタ８３に対応し、
ウレタンフォーム装着具は、岩盤浴サポータ３０、岩盤浴アイマスク７０又は岩盤浴マスク８０に対応し、
クッション材は、マットクッション材４１に対応し、
ゲルマニウム入り繊維を織り込んだ布帛は、マットカバー４２に対応し、
身体に接触する接触部分は、座面部９１及び背凭れ部９２に対応し、
椅子は、岩盤浴チェア９０に対応し、
合成繊維は、岩盤浴繊維２１に対応し、
合成布帛は、岩盤浴靴下２０に対応し、
合成不織布は、帯部１０に対応し、
布テープは、岩盤浴テープ１に対応し、
衣服は、岩盤浴ベスト６０に対応するも、
この発明は、上述の実施形態の構成のみに限定されるものではなく、多くの実施の形態を得ることができる。
【図面の簡単な説明】
【０１０５】
【図１】岩盤浴テープの使用状態の斜視図。
【図２】使用前の岩盤浴テープの斜視図。
【図３】岩盤浴テープの構成の説明図。
【図４】岩盤浴靴下の正面図。
【図５】岩盤浴靴下の拡大正面図。
【図６】岩盤浴繊維の構造を説明する説明図。
【図７】岩盤浴ベストの斜視図。
【図８】使用状態の岩盤浴サポータの斜視図。
【図９】岩盤浴サポータの説明図。
【図１０】岩盤浴パットの拡大断面図。
【図１１】岩盤浴アイマスクの斜視図。
【図１２】岩盤浴マスクの斜視図。
【図１３】岩盤浴マットの斜視図。
【図１４】マットクッション材の拡大断面図。
【図１５】使用状態の岩盤浴マットの幅方向中央付近の縦断面図。
【図１６】別の実施形態の岩盤浴マットの底面図。
【図１７】岩盤浴チェアの斜視図。
【符号の説明】
【０１０６】
１…岩盤浴テープ
１０…帯部
１２…ポリウレタン
１３…炭粉末
１４…ブラックシリカ粉末
１５…ラジウム粉末
２０…岩盤浴靴下
２１…岩盤浴繊維
２２ａ…ポリウレタン
２３ａ…ナイロン
３０…岩盤浴サポータ
３１…サポータ部
３２…パット収容部
３３…岩盤浴パット
３３ａ…ポリウレタン
３３ｂ…孔部
４１…マットクッション材
４１ａ…低反発性ポリウレタン
４１ｂ…孔部
４２…マットカバー
６０…岩盤浴ベスト
７０…岩盤浴アイマスク
７１…マスク部
７２…取付ゴム
７３…アイマスクパット
８０…岩盤浴マスク
８１…マスク部
８２…取付ゴム
８３…マスクフィルタ
９０…岩盤浴チェア
９１…座面部
９２…背凭れ部
【図１】
2007197569.tif 000003
【図２】
2007197569.tif 000004
【図３】
2007197569.tif 000005
【図４】
2007197569.tif 000006
【図５】
2007197569.tif 000007
【図６】
2007197569.tif 000008
【図７】
2007197569.tif 000009
【図８】
2007197569.tif 000010
【図９】
2007197569.tif 000011
【図１０】
2007197569.tif 000012
【図１１】
2007197569.tif 000013
【図１２】
2007197569.tif 000014
【図１３】
2007197569.tif 000015
【図１４】
2007197569.tif 000016
【図１５】
2007197569.tif 000017
【図１６】
2007197569.tif 000018
【図１７】
2007197569.tif 000019
【手続補正書】
【提出日】平成18年5月1日(2006.5.1)
【手続補正１】
【補正対象書類名】特許請求の範囲
【補正対象項目名】全文
【補正方法】変更
【補正の内容】
【特許請求の範囲】
【請求項１】
添加剤を主材に添加して形成した樹脂材であって、
前記添加剤を、ラジウム、ブラックシリカ、並びに炭とで構成した
樹脂材。
【請求項２】
前記ラジウムの添加量を全体の５〜１８重量％、前記ブラックシリカの添加量を全体の１〜１０重量％、及び前記炭の添加量を全体の５〜２０重量％とする
請求項１に記載の樹脂材。
【請求項３】
請求項１又は２の樹脂材の前記主材を、ポリウレタンで構成し、
互いに連通する多数の孔部を有する多孔質状に形成した
軟質ポリウレタンフォーム。
【請求項４】
前記ポリウレタンを、低反発性ポリウレタンで構成した
請求項３に記載の軟質ポリウレタンフォーム。
【請求項５】
請求項３または４の軟質ポリウレタンフォームを収容する収容部と、該収容部を身体の一部に装着する装着部を備えた
ウレタンフォーム装着具。
【請求項６】
請求項３または４の軟質ポリウレタンフォームにより成形したクッション材。
【請求項７】
成形された前記軟質ポリウレタンフォームを、ゲルマニウム入り繊維を織り込んだ布帛で被覆した
請求項６に記載のクッション材。
【請求項８】
請求項３または４の軟質ポリウレタンフォームを、身体に接触する接触部分の芯材に用いた椅子。
【請求項９】
請求項１又は２の樹脂材の主材を合成樹脂で構成し、前記樹脂材により繊維状に形成した
合成繊維。
【請求項１０】
請求項９の合成繊維を織り込んで形成した合成布帛。
【請求項１１】
請求項１又は２の樹脂材の主材を合成樹脂で構成し、前記樹脂材により布状に形成した合成不織布。
【請求項１２】
請求項１０の合成布帛又は請求項１１の合成不織布により帯状に形成し、該帯状の片面に接着層を備えた布テープ。
【請求項１３】
請求項５に記載のウレタンフォーム装着具の前記装着部を、
筒状に形成した請求項１０の合成布帛又は請求項１１の合成不織布で構成した
ウレタンフォーム装着具。
【請求項１４】
請求項１０の合成布帛又は請求項１１の合成不織布を縫製し、あるいは請求項８の合成繊維を編み込んで形成した衣服。
【手続補正２】
【補正対象書類名】明細書
【補正対象項目名】全文
【補正方法】変更
【補正の内容】
【発明の詳細な説明】
【技術分野】
【０００１】
この発明は、例えば微弱な放射線によって生成されるマイナスイオン、及び遠赤外線を放射する合成樹脂、あるいはそれを用いた成形体に関する。
【背景技術】
【０００２】
炭は、遠赤外線を放射するとともに、除菌、消臭、蓄熱効果を有することが知られている。炭の上記効果に加えて、微弱な放射線によって生成されるマイナスイオンによる効果を得るために織物炭化材層と放射性物質層とからなるシート状体が提案されている（特許文献１参照）。
【０００３】
上記シート状体は、天然靭皮繊維からなる糸を編み込んだ織物を炭化した織物炭化材層と、ラドン等の粉末状の放射性物質を面状に配した放射性物質層とを天然接着剤で固定したシート状の部材であり、遠赤外線による効果とマイナスイオンによる効果とが相乗効果として高まる。利用者がこれを身体に装着すると、前記シート状体の上記相乗効果によって血行等が促進させられる。
【０００４】
しかし、上記シート状体は、天然靭皮繊維からなる糸を編み込んだ織物を炭化して用いているため耐久性が低く、また織物炭化材層と、放射性物質層とを天然接着剤等で接着固定しているため、使用によって汚れた場合に洗うと放射性物質層が剥がれる惧れがあり、上記放射性物質層が剥がれた場合、上記血行促進等の効果を得ることができなかった。
【０００５】
【特許文献１】特開２００５−２１８６５１号公報
【発明の開示】
【発明が解決しようとする課題】
【０００６】
この発明は、微弱な放射線によるマイナスイオン、及び遠赤外線を放射するとともに、耐久性のある合成樹脂、あるいはそれを用いた成形体を提供することを目的とする。
【課題を解決するための手段】
【０００７】
この発明は、添加剤を主材に添加して形成した樹脂材であって、前記添加剤を、ラジウム、ブラックシリカ、並びに炭とで構成した樹脂材であることを特徴とする。  
前記主材に添加とは、樹脂材成形前に添加することを含む。
【０００８】
前記樹脂材とは、天然ゴム等の天然樹脂、あるいはポリエチレン、アクリル樹脂、ポリアミド、ポリエステル、ポリプロピレン、ポリ塩化ビニル、ポリスチレン、ＡＢＳ樹脂、ポリカーボネート、ナイロン、ポリアセタール、フッ素樹脂、ポリ塩化ビニリデン、ポリプタジエン、塩酸ゴム等の少なくとも一種、またはそれらの複数からなる合成樹脂を主材とする樹脂材であることを含む。  
前記ラジウム、ブラックシリカ、あるいは炭は、それぞれ粉末状、あるいは粒子状で形成されていることを含む。
【０００９】
これにより、成形された樹脂材中に、ラジウム、ブラックシリカ、並びに炭とを含有するため、ブラックシリカ、ラジウム、並びに炭が主材から剥離することがなく、遠赤外線及びマイナスイオンを放射し、耐久性のある樹脂材を得ることができる。
【００１０】
この発明の態様として、前記ラジウムの添加量を全体の５〜１８重量％、前記ブラックシリカの添加量を全体の１〜１０重量％、及び前記炭の添加量を全体の５〜２０重量％とすることができる。  
これにより、十分に遠赤外線及びマイナスイオンを放射するとともに、主材による強度を確保できるため、遠赤外線及びマイナスイオンを放射し、耐久性のある樹脂材を形成することができる。
【００１１】
また、この発明の態様として、前記樹脂材の主材を、ポリウレタンで構成し、
互いに連通する多数の孔部を有する多孔質状の軟質ポリウレタンフォームを形成することができる。  
軟質ポリウレタンフォームとは、独立した多数の孔部を有し、硬く復元性のない硬質ポリウレタンフォームと比べて、柔らかく復元性のあるポリウレタンフォームであり、一般的に発泡倍率が約１０〜６０倍、見かけ密度が約１６〜１００ｋｇ／ｃｍ２程度のものをいう。  
これにより、遠赤外線及びマイナスイオンを放射するとともに、弾性、衝撃吸収性、復元性及び耐久性を有する軟質ポリウレタンフォームを形成することができる。  
【００１２】
また、この発明の態様として、前記ポリウレタンを、低反発性ポリウレタンで構成することができる。  
前記低反発性ポリウレタンは、例えば、指で押して変形させた後、指を離すと、そのまま変形を維持し、一定時間をかけて復元するようなゆっくりとした復元性を有する軟質ポリウレタンフォームを成形するポリウレタンであることを含む。  
これにより、普通の軟質ポリウレタンフォームより反発弾性率が非常に小さい低反発ポリウレタンフォームを形成することができる。
【００１３】
また、この発明の態様として、軟質ポリウレタンフォームを収容する収容部と、該収容部を身体の一部に装着する装着部を備えたウレタンフォーム装着具を形成することができる。  
前記ウレタンフォーム装着具は、軟質ポリウレタンフォームをパットとして収容する関節保護用のサポータ、アイマスク、あるいは軟質ポリウレタンフォームをフィルタとして収容するマスクであることを含む。  
これにより、遠赤外線及びマイナスイオンを放射する軟質ポリウレタンフォームを、肘や膝等の所望の箇所に装着することができ、遠赤外線及びマイナスイオンによる上記所望の箇所の血行促進等の効果を得ることができる。
【００１４】
また、この発明の態様として、前記軟質ポリウレタンフォームによりクッション材を形成することができる。  
前記クッション材は、前記軟質ポリウレタンフォームを芯材として用いるマット、枕、抱き枕又はクッションであることを含む。  
これにより、弾性、衝撃吸収性、復元性及び耐久性を有するとともに、遠赤外線及びマイナスイオンを放射するクッション材を形成することができ、遠赤外線及びマイナスイオンによる血行促進等の効果を利用者に与えることができる。
【００１５】
また、この発明の態様として、成形された前記軟質ポリウレタンフォームを、ゲルマニウム入り繊維を織り込んだ布帛で被覆したクッション材を形成することができる。  
前記ゲルマニウム入り繊維とは、ナイロン繊維、アラミド繊維、ポリエステル繊維、アクリル系繊維、ビニロン系繊維、ポリ塩化ビニル繊維、ビニリデン繊維、ポリエチレン繊維、ポリプロピレン繊維、またはポリウレタン繊維等の合成繊維にゲルマニウム粉末を練り込んで形成した繊維であることを含む。  
これにより、クッション材中に含有するラジウムまたはブラックシリカのうち少なくとも一方と、炭とが放射する遠赤外線及びマイナスイオンを布帛を介して利用者に照射するため、布帛に含有するゲルマニウムによってマイナスイオンが増加され、遠赤外線及びマイナスイオンによる利用者の血行促進等の効果を高めることができるとともに、利用者に保温作用を奏することができる。
【００１６】
また、この発明の態様として、前記軟質ポリウレタンフォームを、身体に接触する接触部分の芯材に用いた椅子を形成することができる。  
上記椅子とは、事務用や食卓用等の椅子、ソファ、座椅子、ロッキングチェア、安楽椅子、乗り物の座席、またはマッサージチェア等の普通人が座ることのできる椅子であることを含む。
【００１７】
上記身体に接触する接触部分は、該椅子に座った普通人が衣服を介して接触する部分であり、例えば、座面、背凭れ部、肘掛部、またはヘッドレスト等であることを含む。  
これにより、快適なクッション性を確保でき、軟質ポリウレタンフォームから遠赤外線及びマイナスイオンを照射するため、遠赤外線及びマイナスイオンによる血行促進等の効果を利用者に与えることができる。
【００１８】
また、この発明の態様として、前記樹脂材の主材を合成樹脂で構成し、前記樹脂材により繊維状の合成繊維を形成することができる。  
上記合成繊維は、ナイロン繊維、アラミド繊維、ポリエステル繊維、アクリル系繊維、ビニロン系繊維、ポリ塩化ビニル繊維、ビニリデン繊維、ポリエチレン繊維、ポリプロピレン繊維、またはポリウレタン繊維等であることを含む。  
これにより、遠赤外線及びマイナスイオンを放射するとともに、高強度、軽量、耐薬性、且つ耐久性を有する繊維を形成することができる。
【００１９】
また、この発明の態様として、合成繊維を織り込んで合成布帛を形成することができる。  
これにより、遠赤外線及びマイナスイオンを放射するとともに、高強度、軽量、耐薬性、且つ耐久性を有する布帛を形成することができる。
【００２０】
また、この発明の態様として、前記樹脂材の主材を合成樹脂で構成し、前記樹脂材により、布状の合成不織布を形成することができる。  
これにより、遠赤外線及びマイナスイオンを放射するとともに、高強度、軽量、耐薬性、且つ耐久性を有する不織布を形成することができる。
【００２１】
また、この発明の態様として、前記合成布帛又は前記合成不織布を帯状に形成し、該帯状の片面に接着層を備える布テープを形成することができる。  
これにより、遠赤外線及びマイナスイオンを放射するとともに、高強度、軽量、耐薬性、且つ耐久性を有する布テープを形成することができる。
【００２２】
また、この発明の態様として、前記ウレタンフォーム装着具の装着部を、筒状に形成した前記合成布帛又は前記合成不織布で構成することができる。  
これにより、軟質ポリウレタンフォームに加えて、装着部からも遠赤外線及びマイナスイオンを放射するため、遠赤外線及びマイナスイオンによる上記血行促進等の効果をさらに向上することができる。
【００２３】
また、この発明の態様として、前記合成布帛又は前記合成不織布を縫製し、あるいは前記合成繊維を編み込んで衣服を形成することができる。  
上記衣服とは、ベスト、チョッキ、ガウン、コート、又はＹシャツ等の上着、スラックス等のズボンやスカート、パンツ等の下着、あるいは靴下等であることを含む。  
これにより、前記合成布帛、前記合成不織布、あるいは前記合成繊維から遠赤外線及びマイナスイオンが放射されるため、上記衣服を着用した利用者は、遠赤外線及びマイナスイオンによる上記血行促進等の効果を得ることができる。
【発明の効果】
【００２４】
この発明によれば、微弱な放射線によるマイナスイオン、及び遠赤外線を放射するとともに耐久性のある合成樹脂、あるいはそれを用いた成形体を得ることができる。
【発明を実施するための最良の形態】
【００２５】
この発明の一実施形態を以下図面と共に説明する。
【実施例１】
【００２６】
岩盤浴テープ１の使用状態の斜視図を示す図１と、使用前の岩盤浴テープ１の斜視図を示す図２と、岩盤浴テープ１の構成の説明図を示す図３とともに、岩盤浴テープ１について説明する。  
岩盤浴テープ１は、例えば、図１に示すように、膝Ａ等の周囲に貼り付けることによって、膝Ａの正常な稼動範囲を超えないよう制限したり、貼り付けた部位の補強するテーピング用のテープであり、これによって怪我の予防、応急処置、あるいは怪我の再発を防止することができる。
【００２７】
岩盤浴テープ１は、図２に示すように、適宜の幅の帯部１０と、該帯部１０の片面に設けられた接着部１０ａとで多層構造に構成され、使用前は接着部１０ａを内側として芯材１９の外周側に巻付けている。なお、本実施例において、膝Ａ用の岩盤浴テープ１を示しているため、約５ｃｍの帯に形成しているが、これに限定されず、貼り付ける箇所にあわせた適宜の幅で形成すればよい。例えば、指に貼り付ける場合は約２ｃｍ程度の帯に形成すればよい。
【００２８】
帯部１０は、図３に示すように、主材となるポリウレタン１２に炭粉末１３、ブラックシリカ粉末１４、及びラジウム粉末１５を混入して、帯状に形成した軟質ウレタンフォームであり、適宜の弾力性を有する。
【００２９】
炭粉末１３は、木炭を粉砕した粉末体である。木炭は平均約１２オングストロームの大きさの穴が網の目状に形成されており、その穴によって化学物質や臭い等を吸着するとともに、マイナスイオンを生成し、遠赤外線を放射することができる。
【００３０】
なお、マイナスイオンは身体にもともと備わった生体防衛機能と自然治癒力とを活発にして免疫力及び内分泌ホルモンを向上させるとともに、プラスイオンによって酸化された身体を還元させることで新陳代謝を活発にすることができる。また、マイナスイオンは、体内のプラスイオンが血液中に侵入して起こるデコボコ状や団子状に連なった正常でない赤血球と結合し、該赤血球を正常な丸状に改善することができ、健康な血液を形成することができる。
【００３１】
また、遠赤外線は目視できない長波長の光線であり、物質の中心側の深部を温めることができる。したがって、遠赤外線を照射することによって、身体を芯から暖めて新陳代謝を活発にさせることができるとともに、発汗を促し、体内の毒素を体外に排出させることができる。
【００３２】
また、ブラックシリカ粉末１４は天然鉱石であるブラックシリカ（学名：黒鉛珪石）を粉砕した粉末体であり、天然ミネラルをふんだんに含み、遠赤外線や微弱な放射線（α線、β線、γ線）を安定して放射することができる。したがって、ブラックシリカ粉末１４は消臭、防菌、防カビ、防湿効果を有するとともに、身体に対し、血流の促進、発汗作用、痛みの緩和作用、暖め作用及び安眠作用を与えることができる。
【００３３】
ラジウム粉末１５は、オーストリアのザルツブルク市にあるガシュタイナー・ハイルシュトーレンの坑道内で採掘されるハイルシュトーレン鉱石を粉砕した粉末体である。  
ハイルシュトーレン鉱石（別名：バードガシュタイン鉱石）は、一般的な鉱石よりラジウムの含有率の高いラジウム鉱石であり、含有するラジウムがα線を放射しながら崩壊し、放射能を有するガス状のラドンを多く発生する。このラドンを呼吸によって体内に取込むことで抗酸化酸素ＳＯＤと抗酸化酸素ＧＰＸとの分泌を促し、体内の活性酸素を除去あるいは削除することができる。  
なお、本実施例において、ハイルシュトーレン鉱石を用いているが、これに限定されず、例えば、北投石や、北海道の南部で採掘される二股温泉ラジウム鉱石等の天然ラジウム鉱石、あるいは人工のラジウム鉱石を用いてもよい。
【００３４】
なお、微量の放射線が照射されることによって、生命体の免疫力及び成長が向上するため（以下「ホルシミス効果」という）、このホルシミス効果によって、温熱効果、新陳代謝、自然治癒力の向上、ストレス改善、活性酸素の除去を促進することができる。したがって、強直性脊椎炎、慢性進行性多発関節炎や軟組織リュウマチ、関節炎等のリュウマチ系疾患、喘息、気管支炎、慢性気管支炎等の呼吸器系疾患、および乾癬（かんせん）、強皮症等の皮膚疾患に効果があるとされている。また、新陳代謝の活発化によって便秘等の排便障害を改善することができる。
【００３５】
なお、図３中において、炭粉末１３を四角形状で示し、ブラックシリカ粉末１４を丸で示し、ラジウム粉末１５を三角形に示しているが、帯部１０内に炭粉末１３、ブラックシリカ粉末１４及びラジウム粉末１５の３種類を含有することを理解しやすくするために示したものであり、それぞれの形状や大きさを示すものではなく、本実施例においては、それぞれが目視できない程度の粒径の粉体である。
【００３６】
炭粉末１３は、帯部１０に対して約５〜２０重量％を含有するが、約１０重量％の含有量がより好ましい。また、ブラックシリカ粉末１４は、帯部１０に対して約１〜１０重量％を含有するが、約２重量％の含有量がより好ましい。さらに、ラジウム粉末１５は、帯部１０に対して約５〜１８重量％を含有するが、約８重量％の含有量がより好ましい。
【００３７】
それぞれの含有量が上記下限値を下回る場合は十分な上記ホルシミス効果やそれぞれの効果を得ることができず、上記上限値を上回る場合はポリウレタン１２の十分な強度を確保できないため、帯部１０の強度低下する惧れがある。
【００３８】
上述した構成により、図１に示すように、適切なテーピング方法で膝Ａ周辺に岩盤浴テープ１を貼り付けて、膝Ａの正常な稼動範囲を超えないよう制限することができ、また、怪我等で弱まった部位の補強することができ、怪我の予防、応急処置、あるいは怪我の再発を防止することができる。
【００３９】
また、帯部１０に炭粉末１３、ブラックシリカ粉末１４及びラジウム粉末１５を含有することによって、ブラックシリカ粉末１４及びラジウム粉末１５から放射される微量の放射線によって生じる上記ホルシミス効果による上記温熱効果、新陳代謝、自然治癒力の向上、ストレス改善、活性酸素の除去等の効果を、炭粉末１３によって生成されるマイナスイオン及び遠赤外線によってさらに促進することができる。したがって、強直性脊椎炎、慢性進行性多発関節炎や軟組織リュウマチ、関節炎等のリュウマチ系疾患、喘息、気管支炎、慢性気管支炎等の呼吸器系疾患、および乾癬（かんせん）、強皮症等の皮膚疾患を効率よく改善することができ、利用者の満足度を向上させることができる。
【００４０】
なお、以下において、帯部１０に炭粉末１３、ブラックシリカ粉末１４及びラジウム粉末１５を含有することによる相乗効果によって、さらに促進されたホルシミス効果を、秋田県の玉川温泉を発祥とする岩盤浴にちなんで、「岩盤浴効果」と言う。
【００４１】
また、岩盤浴テープ１を貼り付けることによって、炭粉末１３による化学物質や臭い等を吸着するとともに、ブラックシリカ粉末１４による消臭、防菌、防カビ、防湿効果、身体に対する血流の促進、発汗作用、痛みの緩和作用、暖め作用及び安眠作用を与えることができる。
【００４２】
なお、本実施例においては、膝Ａ周辺に岩盤浴テープ１を貼り付けているが、肘周辺、手首周辺、首周辺あるいは指に貼り付けてもよい。これにより、所望の箇所に上記岩盤浴テープ１による岩盤浴効果を得ることができ、利用者の満足度を向上させることができる。
【００４３】
また、所謂合成樹脂に炭粉末１３、ブラックシリカ粉末１４及びラジウム粉末１５を混入し、その合成樹脂で形成した不織布や合成布帛で上記帯部１０を構成すれば本実施例における岩盤浴テープ１と同様の効果を得ることができる。
【実施例２】
【００４４】
岩盤浴靴下２０の正面図を示す図４と、岩盤浴靴下２０の拡大正面図を示す図５、岩盤浴繊維２１の構造を説明する説明図を示す図６とともに、岩盤浴靴下２０及び岩盤浴繊維２１について説明する。  
岩盤浴靴下２０は、脛中央付近までの長さを有するビジネス用といわれる一般的な形状の靴下であり、岩盤浴繊維２１を例えば、リブ網という編み方で編み込んで上記形状に形成している。
【００４５】
岩盤浴繊維２１は、芯糸２２と、芯糸２２を被覆する被覆糸２３とで構成されている。芯糸２２は、ポリウレタン２２ａを主成分とし、炭粉末１３、ブラックシリカ粉末１４、及びラジウム粉末１５を混入して繊維状に形成した弾性を有するポリウレタン弾性糸であり、被覆糸２３は、ナイロン２３ａを主成分とし、炭粉末１３、ブラックシリカ粉末１４、及びラジウム粉末１５を混入して繊維状に形成したナイロン繊維で構成している。
【００４６】
なお、図２と同様に、図６中において、炭粉末１３を四角形状で示し、ブラックシリカ粉末１４を丸で示し、ラジウム粉末１５を三角形に示しているが、岩盤浴繊維２１内に炭粉末１３、ブラックシリカ粉末１４及びラジウム粉末１５の３種類を含有することを理解しやすくするために示したものであり、それぞれの形状や大きさを示すものではなく、本実施例においては、それぞれが目視できない程度の粒径の粉体である。
【００４７】
なお、炭粉末１３は、芯糸２２又は被覆糸２３に対して約５〜２０重量％を含有するが、約１０重量％の含有量がより好ましい。また、ブラックシリカ粉末１４は、芯糸２２又は被覆糸２３に対して約１〜１０重量％を含有するが、約２重量％の含有量がより好ましい。さらに、ラジウム粉末１５は、芯糸２２又は被覆糸２３に対して約５〜１８重量％を含有するが、約８重量％の含有量がより好ましい。
【００４８】
それぞれの含有量が上記下限値を下回る場合は十分な上記岩盤浴効果を得ることができず、上記上限値を上回る場合は芯糸２２又は被覆糸２３の十分な強度を確保できないため、岩盤浴靴下２０が強度低下する惧れがある。
【００４９】
上記構成により、岩盤浴靴下２０は炭粉末１３によって化学物質や臭い等を吸着するとともに、岩盤浴靴下２０を着用した利用者に、上記岩盤浴効果を与えることができ、ブラックシリカ粉末１４による消臭、防菌、防カビ、防湿効果、身体に対する血流の促進、発汗作用、痛みの緩和作用、暖め作用及び安眠作用を与えることができる。
【００５０】
したがって、暖め作用によって足先を暖めることで全身を暖めることができるとともに、岩盤浴靴下２０を着用して就寝した利用者に対して、足先を暖めることで上記安眠作用を促進することができる。また、炭粉末１３の臭い吸着作用とブラックシリカ粉末１４の消臭、及び防菌作用によって、雑菌による靴を脱いだ後の足の悪臭を防止することができ、着用者の満足度を向上させることができる。
【００５１】
なお、ポリウレタン２２ａは、着用した利用者の足を適度に締め付ける程度の適宜の弾性を有すればよく、例えばラテックスを主成分とするゴム糸で構成してもよい。また、ナイロン２３ａは、岩盤浴靴下２０の風合いに合わせてポリエステルやアクリルを主成分とするポリエステル繊維やアクリル繊維で構成してもよい。
【００５２】
また、岩盤浴繊維２１でレッグウォーマーを形成してよい。これにより、寒い時期に足つりやこむら返りの生じやすい利用者が着用した場合、上記岩盤浴効果や暖め効果によって、足つりやこむら返りが生じることを防止できる。
【００５３】
また、岩盤浴繊維２１で手袋を形成してよい。これにより、寒い時期に指の節等の関節痛がある利用者が着用した場合、上記岩盤浴効果や暖め効果によって、関節痛を和らげることができる。また、手にアカギレ等がある利用者が着用した場合、上記岩盤浴効果や新陳代謝の促進によって、アカギレが改善されるため利用者の満足度を向上させることができる。
【００５４】
また、岩盤浴繊維２１で、例えば図７に示す岩盤浴ベスト６０のような衣服を形成してよい。詳述すると、岩盤浴ベスト６０は、例えば図５に示すようなリブ網、あるいは平織りといった様々な編み方によって上記岩盤浴繊維２１を編み込んで形成している。これにより、寒い時期に肩等の関節痛や腰痛がある利用者が着用した場合、岩盤浴繊維２１に含有する炭粉末１３、ブラックシリカ粉末１４及びラジウム粉末１５による上記岩盤浴効果や暖め効果によって、関節痛や腰痛を和らげることができる。また、所謂合成樹脂に炭粉末１３、ブラックシリカ粉末１４及びラジウム粉末１５を混入し、その合成樹脂で形成した不織布や合成布帛を縫製してベスト等の服を構成してもよく、この場合においても、岩盤浴繊維２１を編み込んで形成した岩盤浴ベスト６０と同様の効果を得ることができる。
【００５５】
また、岩盤浴繊維２１でパンティ等の女性用下着を形成してよい。これにより、冷やすことで悪化する婦人病を、上記岩盤浴効果や暖め効果によって改善することができる。
【実施例３】
【００５６】
使用状態の岩盤浴サポータ３０の斜視図を示す図８と、岩盤浴サポータ３０の説明図を示す図９と、岩盤浴パット３３の拡大断面図を示す図１０とともに、岩盤浴サポータ３０及び岩盤浴パット３３について説明する。  
岩盤浴サポータ３０は、筒状のサポータ部３１と、サポータ部３１の表面に備えたポケット状のパット収容部３２と、該パット収容部３２に収容する岩盤浴パット３３とで構成している。
【００５７】
サポータ部３１は、伸縮性を有する合成繊維を所謂ゴム網で編み込んで筒状に形成している。なお、上記筒状は、普通人の足の外周よりわずかに小さな大きさに形成するとともに、上下端部に伸縮可能且つ上記筒状部より絞られた絞り部３１ａを備えている。
【００５８】
パット収容部３２は、略四角形に形成したサポータ部３１と同質の素材の外縁付近を凹状に、サポータ部３１に縫合することで、ポケット状に形成している。なお、パット収容部３２の正面サイズは、後述する岩盤浴パット３３の正面サイズよりわずかに大きく形成している。これにより、パット収容部３２に収容した岩盤浴パット３３の周囲の隙間を減らすことができ、また、サポータ部３１とパット収容部３２の伸縮力によって岩盤浴パット３３を適度に押さえつけることができるため、岩盤浴パット３３がパット収容部３２から不用意に抜け出ることを防止している。
【００５９】
また、パット収容部３２をサポータ部３１の高さ方向中央より下側に縫着しているため、パット収容部３２に収容した岩盤浴パット３３が膝Ａの前方下側となるようにサポータ部３１で膝Ａ周辺を囲繞するように足に装着して使用することができる。
【００６０】
岩盤浴パット３３は、適宜の厚みを有する正面視縦長の略四角形に形成し、正面と背面とを貫通する貫通孔３４を適宜の間隔を隔てて格子状に複数備えている。  
また、岩盤浴パット３３は、図１０に示すように、主材をポリウレタン３３ａで構成し、ポリウレタン３３ａを成形時に発泡させて、それぞれが連通する孔部３３ｂを備えた軟質ポリウレタンフォームで形成している。
【００６１】
さらに、岩盤浴パット３３は、成形前のポリウレタン３３ａに粉末状の炭粉末１３、ブラックシリカ粉末１４及びラジウム粉末１５を混入して成形した軟質ポリウレタンフォームである。したがって、図１０のａ部の拡大図に示すように、岩盤浴パット３３内には、炭粉末１３、ブラックシリカ粉末１４及びラジウム粉末１５が略全範囲にわたって点在している。なお、図２と同様に、図１０中において、炭粉末１３を四角形状で示し、ブラックシリカ粉末１４を丸で示し、ラジウム粉末１５を三角形に示しているが、岩盤浴パット３３内に炭粉末１３、ブラックシリカ粉末１４及びラジウム粉末１５の３種類を含有することを理解しやすくするために示したものであり、それぞれの形状や大きさを示すものではなく、本実施例においては、それぞれが目視できない程度の粒径の粉体である。
【００６２】
炭粉末１３は、岩盤浴パット３３に対して約５〜２０重量％を含有するが、約１０重量％の含有量がより好ましい。また、ブラックシリカ粉末１４は、岩盤浴パット３３に対して約１〜１０重量％を含有するが、約２重量％の含有量がより好ましい。さらに、ラジウム粉末１５は、岩盤浴パット３３に対して約５〜１８重量％を含有するが、約８重量％の含有量がより好ましい。  
それぞれの含有量が上記下限値を下回る場合は十分な上記岩盤浴効果を得ることができず、上記上限値を上回る場合は岩盤浴パット３３の十分な強度を確保できず、強度低下する惧れがある。
【００６３】
上記構成により、炭粉末１３によって化学物質や臭い等を吸着し、岩盤浴パット３３は、利用者に上記岩盤浴効果を与えることができるとともに、ブラックシリカ粉末１４による消臭、防菌、防カビ、防湿効果、身体に対する血流の促進、発汗作用、痛みの緩和作用、暖め作用及び安眠作用を与えることができ、膝Ａの関節痛のある着用者の満足度を向上させることができる。
【００６４】
また、岩盤浴パット３３を、互いに連通する孔部３３ｂを有する軟質ウレタンフォームで形成したことにより、図１０のａ部の拡大図の矢印ａに示すように、岩盤浴効果を奏するラドンガス、遠赤外線、ならびにマイナスイオンが孔部３３ｂを通過するため、サポータ部３１を介して膝Ａに作用し、より効率のよい岩盤浴効果を与えることができる。
【００６５】
また、岩盤浴パット３３に、複数の貫通する貫通孔３４を備えたことにより、矢印ｂに示すように、孔部３３ｂを通過するラドンガス、遠赤外線、ならびにマイナスイオンを貫通孔３４で集約して膝Ａに作用することができるため、さらに効率のよい岩盤浴効果を与えることができる。
【００６６】
また、成形前のポリウレタン３３ａに粉末状の炭粉末１３、ブラックシリカ粉末１４及びラジウム粉末１５を混入して、軟質ポリウレタンフォームを成形しているため、使用によって岩盤浴パット３３が汚れ、岩盤浴パット３３を洗濯した場合であっても、炭粉末１３、ブラックシリカ粉末１４及びラジウム粉末１５がマットクッション材４１から剥離することがなく、清潔な岩盤浴パット３３によって半恒久的に岩盤浴効果を与えることができる。
【００６７】
なお、サポータ部３１を構成する合成繊維を、実施例２で用いた岩盤浴繊維２１（図６）で構成してもよい。利用者は、岩盤浴繊維２１で構成した岩盤浴サポータ３０を装着することによって、高い岩盤浴効果を得ることができる。
【００６８】
また、本実施例において、膝用の岩盤浴サポータ３０について説明したが、肘用、手首用、方用等のあらゆるサポータに適用することができる。また、適宜の幅と弾性力を有する帯状のバンド部の両端に面ファスナを備えて腰用の保護バンドを構成してもよく、この場合においても、上記バンド部の腰部中央付近となる箇所に岩盤浴パット３３を収容できるパット収容部３２を備えればよい。また、上記バンド部を岩盤浴繊維２１で構成してもよい。これによって、本実施例と同様の効果を得ることができ、腰痛を患っている利用者の満足度を向上させることができる。
【実施例４】
【００６９】
岩盤浴アイマスク７０の斜視図を示す図１１とともに、岩盤浴アイマスク７０及びアイマスクパット７３について説明する。  
岩盤浴アイマスク７０は、マスク部７１と、該マスク部７１の左右両側に供えた取付ゴム７２と、該マスク部７１に内在するアイマスクパット７３とで構成している。
【００７０】
取付ゴム７２は、伸縮性を有するゴムひもであり、両端をマスク部７１の側辺に上下方向の間隔を隔てて縫合することで、無端状に形成し、マスク部７１の左右両側に備えている。利用者は、取付ゴム７２を左右の耳に係止することによって、両目を覆うようにして岩盤浴アイマスク７０を装着することができる。
【００７１】
マスク部７１は、２枚の正面視メガネ状の布帛を、間にアイマスクパット７３を挟んで前後に重ね合わせ、各メガネ状の布帛の外縁を縫合することで内側にアイマスクパット７３を内在させるメガネ状のマスク部７１を形成している。  
アイマスクパット７３は、利用者が岩盤浴アイマスク７０を装着した際に、アイマスクパット７３とともにマスク部７１が湾曲して利用者の顔面形状にフィットする程度に湾曲できる適宜の厚みを有する正面視メガネ状に形成している。
【００７２】
また、アイマスクパット７３は、成形前のポリウレタンに粉末状の炭粉末１３、ブラックシリカ粉末１４及びラジウム粉末１５を混入して成形した実施例３の岩盤浴パット３３と同様の軟質ポリウレタンフォームである。したがって、図１０のａ部の拡大図と同様に、アイマスクパット７３内には、炭粉末１３、ブラックシリカ粉末１４及びラジウム粉末１５が略全範囲にわたって点在している。また、炭粉末１３、ブラックシリカ粉末１４、またはラジウム粉末１５のアイマスクパット７３に対する含有量も実施例３の岩盤浴パット３３と同様の範囲であればよい。
【００７３】
上記構成により、炭粉末１３によって化学物質や臭い等を吸着し、アイマスクパット７３は、利用者に上記岩盤浴効果を与えることができるとともに、ブラックシリカ粉末１４による消臭、防菌、防カビ、防湿効果、身体に対する血流の促進、発汗作用、痛みの緩和作用、暖め作用及び安眠作用を与えることができ、眼精疲労や視力低下のある着用者の満足度を向上させることができる。
【００７４】
なお、マスク部７１を、上述した天然ゲルマニウム鉱石粉末とジルコニウム鉱石粉末とをセルロース系の再生繊維であるレーヨンに練り込んだ機能性繊維（図示省略）による布帛で構成してもよく、この場合も、岩盤浴効果を奏するラドンガス、遠赤外線、ならびにマイナスイオンが該布帛を介して利用者の眼球周辺の顔面に作用するため、該布帛に含有するゲルマニウム鉱石粉末及びジルコニウム鉱石粉末によるマイナスイオン放射及び保温作用によって、上記岩盤浴効果を高めることができる。
【実施例５】
【００７５】
岩盤浴マスク８０の斜視図を示す図１１とともに、岩盤浴マスク８０及びマスクフィルタ８３について説明する。  
岩盤浴マスク８０は、マスク部８１と、該マスク部８１の左右両側に供えた取付ゴム８２と、該マスク部８１に内在するマスクフィルタ８３とで構成している。
【００７６】
取付ゴム８２は、伸縮性を有するゴムひもであり、両端をマスク部８１の側辺の上下端に取付けることで、無端状に形成し、マスク部８１の左右両側に備えている。利用者は、取付ゴム８２を左右の耳に係止することによって、口と鼻とを覆うようにして、岩盤浴マスク８０を装着することができる。
【００７７】
マスク部８１は、２枚の正面視長方形の布帛を、間にマスクフィルタ８３を挟んで前後に重ね合わせ、各長方形の布帛の外縁を縫合することで内側にマスクフィルタ８３を内在させる長方形のマスク部８１を形成している。
【００７８】
また、マスクフィルタ８３は、成形前のポリウレタンに粉末状の炭粉末１３、ブラックシリカ粉末１４及びラジウム粉末１５を混入して成形した実施例３の岩盤浴パット３３と同様の軟質ポリウレタンフォームを、肉厚を薄くして形成している。詳述すると、図１０のａ部の拡大図と同様に、マスクフィルタ８３内には、炭粉末１３、ブラックシリカ粉末１４及びラジウム粉末１５が略全範囲にわたって点在するとともに、孔部を有している。また、花粉やほこり等がマスクフィルタ８３を通過せず、呼吸をできるだけ妨げない程度の肉厚に形成している。なお、炭粉末１３、ブラックシリカ粉末１４、またはラジウム粉末１５のマスクフィルタ８３に対する含有量も実施例３の岩盤浴パット３３と同様の範囲であればよい。
【００７９】
上記構成により、炭粉末１３によって化学物質や臭い等を吸着し、マスクフィルタ８３は、利用者に上記岩盤浴効果を与えることができるとともに、ブラックシリカ粉末１４による消臭、防菌、防カビ、防湿効果、身体に対する血流の促進、発汗作用、痛みの緩和作用、暖め作用及び安眠作用を与えることができ、着用者の満足度を向上させることができる。
【００８０】
なお、マスク部８１を、上述した天然ゲルマニウム鉱石粉末とジルコニウム鉱石粉末とをセルロース系の再生繊維であるレーヨンに練り込んだ機能性繊維（図示省略）による布帛で構成してもよく、この場合も、岩盤浴効果を奏するラドンガス、遠赤外線、ならびにマイナスイオンが該布帛を介して利用者の口や鼻部分に作用するため、該布帛に含有するゲルマニウム鉱石粉末及びジルコニウム鉱石粉末によるマイナスイオン放射及び保温作用によって、上記岩盤浴効果を高めることができる。
【実施例６】
【００８１】
岩盤浴マット４０の斜視図を示す図１３と、マットクッション材４１の拡大断面図を示す図１４と、使用状態の岩盤浴マット４０の幅方向中央付近の縦断面図を示す図１５とともに、岩盤浴マット４０について説明する。  
岩盤浴マット４０は、普通人が上面に横たわった状態でクッション性を確保できる適宜の厚みを有する平面視略正方形のマットクッション材４１と、配置した２つの該マットクッション材４１を囲繞するマットカバー４２とで構成し、上面に普通人が横たわることのできる平面視縦長の略長方形のマットである。
【００８２】
マットカバー４２は、長辺側面の縦方向中央付近に、長辺方向で開閉自在なファスナ（図示省略）を備え、マットカバー４２内部にマットクッション材４１を出し入れ可能に構成している。また、マットカバー４２は天然ゲルマニウム鉱石粉末とジルコニウム鉱石粉末とをセルロース系の再生繊維であるレーヨンに練り込んだ機能性繊維（図示省略）による布帛で構成している。
【００８３】
マットクッション材４１は、上面と下面とを貫通する適宜の径を有する貫通孔４３を適宜の間隔を隔てて複数備えている。  
なお、マットクッション材４１は、図１４に示すように、主材を低反発性ポリウレタン４１ａで構成し、低反発性ポリウレタン４１ａを成形時に発泡させて、それぞれが連通する孔部４１ｂを備えた低反発性ポリウレタンフォームで形成している。通常のポリウレタンは、ポリオールとポリイソシアネートを主成分として構成するが、このうちポリオールの構造を変更させて、粘弾性的に変性させたものが低反発性ポリウレタンである。
【００８４】
さらに、マットクッション材４１は、成形前の低反発性ポリウレタン４１ａに、粉末状の炭粉末１３、ブラックシリカ粉末１４及びラジウム粉末１５を混入して、低反発性ポリウレタンフォームを成形している。したがって、図１４のａ部の拡大図に示すように、マットクッション材４１内には、炭粉末１３、ブラックシリカ粉末１４及びラジウム粉末１５が略全範囲にわたって点在している。なお、図２と同様に、図１４中において、炭粉末１３を四角形状で示し、ブラックシリカ粉末１４を丸で示し、ラジウム粉末１５を三角形に示しているが、マットクッション材４１内に炭粉末１３、ブラックシリカ粉末１４及びラジウム粉末１５の３種類を含有することを理解しやすくするために示したものであり、それぞれの形状や大きさを示すものではなく、本実施例においては、それぞれが目視できない程度の粒径の粉体である。
【００８５】
炭粉末１３は、マットクッション材４１に対して約５〜２０重量％を含有するが、約１０重量％の含有量がより好ましい。また、ブラックシリカ粉末１４は、マットクッション材４１に対して約１〜１０重量％を含有するが、約２重量％の含有量がより好ましい。さらに、ラジウム粉末１５は、マットクッション材４１に対して約５〜１８重量％を含有するが、約８重量％の含有量がより好ましい。  
それぞれの含有量が上記下限値を下回る場合は十分な上記岩盤浴効果を得ることができず、上記上限値を上回る場合はマットクッション材４１の十分な強度を確保できず、強度低下する惧れがある。
【００８６】
上記構成である岩盤浴マット４０を、図１５に示すように、一般的な敷き布団５１の上に、岩盤浴マット４０を敷設し、岩盤浴マット４０の上に寝転がり、上から掛け布団５２を掛けて利用する。
【００８７】
上記構成により、岩盤浴マット４０は炭粉末１３によって化学物質や臭い等を吸着するとともに、利用者に上記岩盤浴効果を与えることができ、ブラックシリカ粉末１４によって消臭、防菌、防カビ、防湿効果、身体に対する血流の促進、発汗作用、痛みの緩和作用、暖め作用及び安眠作用を与えるため、着用者の満足度を向上させることができる。
【００８８】
また、マットクッション材４１を、互いに連通する孔部４１ｂを有する低反発性ウレタンフォームで形成したことにより、図１４のａ部の拡大図の矢印ａに示すように、岩盤浴効果を奏するラドンガス、遠赤外線、ならびにマイナスイオンが孔部４１ｂを通過するため、マットカバー４２を介して横たわった身体に作用し、より効率のよい岩盤浴効果を与えることができる。
【００８９】
また、マットクッション材４１に、複数の貫通する貫通孔４３を備えたことにより、矢印ｂに示すように、孔部４１ｂを通過するラドンガス、遠赤外線、ならびにマイナスイオンを貫通孔４３で集約して身体に作用することができるため、さらに効率のよい岩盤浴効果を与えることができる。
【００９０】
さらに、マットクッション材４１をマットカバー４２でカバーしたことによって、岩盤浴効果を奏するラドンガス、遠赤外線、ならびにマイナスイオンがマットカバー４２を介して身体に作用するため、マットカバー４２のゲルマニウム鉱石粉末及びジルコニウム鉱石粉末によるマイナスイオン放射及び保温作用によって、上記岩盤浴効果を高めることができる。
【００９１】
なお、成形前の低反発性ポリウレタン４１ａに粉末状の炭粉末１３、ブラックシリカ粉末１４及びラジウム粉末１５を混入して、低反発性ポリウレタンフォームを成形しているため、使用によってマットクッション材４１が汚れ、マットクッション材４１を洗濯した場合であっても、炭粉末１３、ブラックシリカ粉末１４及びラジウム粉末１５がマットクッション材４１から剥離することがなく、清潔なマットクッション材４１によって半恒久的に岩盤浴効果を与えることができる。
【００９２】
なお、掛け布団５２の布団カバーを、天然ゲルマニウム鉱石粉末とジルコニウム鉱石粉末とをセルロース系の再生繊維であるレーヨンに練り込んだ上記機能性繊維による布帛で構成してもよい。これにより、マットカバー４２と同様に、布団カバーのゲルマニウム鉱石粉末及びジルコニウム鉱石粉末によるマイナスイオン放射及び保温作用によって、上記岩盤浴効果をさらに高めることができる。  
また、岩盤浴マット４０単体を床やベッド上に敷設してもよく、その場合も本実施例の上記効果と同様の効果を得ることができる。
【００９３】
なお、マットクッション材４１に上記貫通孔４３を設けず、上記孔部４１ｂを大きく形成し、孔部４１ｂを通過するラドンガス、遠赤外線、ならびにマイナスイオンの通過量を増大させてもよい。  
この場合、貫通孔４３を設けた場合と同様のより効率のよい岩盤浴効果を与えることができるとともに、貫通孔４３を設けたマットクッション材４１より荷重支持力の高いマットクッション材を形成することができる。
【００９４】
また、岩盤浴マット４０を、奥行方向に直列配置した３つの岩盤浴マット体４５で構成してもよい。なお、各岩盤浴マット体４５は、適宜の寸法を有する直方体形状の上記マットクッション材４１と、マットクッション材４１の外周を囲繞する上記マットカバー４２とで構成している。
【００９５】
この場合、図１６に示すように、底面側に備えた面ファスナ４６で接続して、利用者が横たわることのできる平面寸法、および適宜の肉厚に形成している。詳述すると、面ファスナ４６は、底面視四角形の鉤状側面ファスナ４６ａと、岩盤浴マット体４５のマットカバー４２底面の対向箇所に備えたループ状側面ファスナ４６ｂとで構成し、底面視四角形の鉤状側面ファスナ４６ａとループ状側面ファスナ４６ｂとで接着させて各岩盤浴マット体４５を接続している。  
なお、岩盤浴マット体４５の各接続部分の対向側面のマットカバー４２に、面ファスナ４６を設けてもよい。
【００９６】
上記構成により、面ファスナ４６によって容易に岩盤浴マット体４５を脱着することができるため、利用者は岩盤浴マット４０を岩盤浴マット体４５に分割して収容等することができ、利用者の利便性が高まる。  
また、岩盤浴マット体４５を岩盤浴マット４０を奥行方向に均等に３分割した寸法で形成し、それぞれのマットクッション材４１を変形可能な低反発性軟質ウレタンフォームで形成したことにより、岩盤浴マット体４５を折り曲げて一般的な家庭用の洗濯機に投入でき、該洗濯機で洗濯可能であるため、利用者の利便性をさらに高めるとともに、衛生的な岩盤浴マット体４５によって半恒久的に岩盤浴効果を与えることができる。
【００９７】
また、岩盤浴マット体４５と同様の構成で枕や抱き枕を構成してもよい。これにより、該枕や抱き枕を用いて就寝した利用者に、岩盤浴マット体４５と同様の効果を与えることができるため、利用者の利便性を高めるとともに、満足度を向上することができる。
【００９８】
また、マットクッション材４１を、座椅子や車両用座席あるいは図１７に示すよう岩盤浴チェア９０のクッション材に用いてもよい。  
詳述すると、岩盤浴チェア９０は、平面視略四角形の座面部９１と、該座面部９１の背部側上方に前方向きに備えた背凭れ部９２と、座面部９１を高さ調整、及び移動可能に支持する脚部９３とで構成し、利用者は背凭れ部９２に凭れかかって座面部９１に座ることができる。座面部９１及び背凭れ部９２は、樹脂製の台座部のそれぞれの利用者側面にマットクッション材４１を配し布製のカバーで囲繞して固定している。したがって、岩盤浴チェア９０は、マットクッション材４１に含有する炭粉末１３によって化学物質や臭い等を吸着するとともに、利用者に上記岩盤浴効果を与えることができ、ブラックシリカ粉末１４によって消臭、防菌、防カビ、防湿効果、身体に対する血流の促進、発汗作用、痛みの緩和作用、暖め作用及び安眠作用を与えるため、利用者の満足度を向上させることができる。さらに、長時間座ることの多い利用者にとっては、岩盤浴チェア９０に座るだけで、上記血流が促進されて足のむくみや腰痛等を解消できるため、利便性が高まる。
【００９９】
また、図７に示すような岩盤浴ベスト６０を、中綿としてマットクッション材４１を用いて構成してもよい。詳述すると、一般的に販売されているようなベストの中綿の代用として適宜の形状に加工したマットクッション材４１を用いる。これにより、一般的に販売されているベストを岩盤浴ベスト６０として改良して利用することができ、この場合においても、岩盤浴繊維２１を編み込んで形成した岩盤浴ベスト６０と同様の効果を得ることができる。また、この場合マットクッション材４１は、低反発性ウレタンフォームに限らず、軟質ウレタンフォームで形成してもよい。
【０１００】
さらに、マットクッション材４１をスリッパの足裏部分の芯材、布団や座布団のクッション材、肩パット、ヌイグルミの詰物、絨毯の裏材等に用いてもよく、その場合も、本実施例におけるマットクッション材４１による岩盤浴効果等の上記効果と同様の効果を得ることができる。
【０１０１】
また、図示省略するが、ウレタン系等を主材とする塗料にブラックシリカ粉末１４またはラジウム粉末１５の少なくとも一方と、炭粉末１３とを混入して、岩盤浴塗料を構成してもよい。この場合、炭粉末１３を塗料全体に対して約５〜２０重量％含有すればよく、約１０重量％の含有量がより好ましい。ブラックシリカ粉末１４を塗料全体に対して約１〜１０重量％含有すればよく、約２重量％の含有量がより好ましい。ラジウム粉末１５を塗料全体に対して約５〜１８重量％含有すればよく、約８重量％の含有量がより好ましい。
【０１０２】
それぞれの含有量が上記下限値を下回る場合は十分な上記岩盤浴効果を得ることができず、上記上限値を上回る場合は硬化後の塗料の十分な強度を確保できず、塗装面の耐久性が低下する惧れがある。
【０１０３】
日常の生活において、室内の壁面等の内装や家具等の身の回りにあるものをこの岩盤浴塗料で塗装することによって、岩盤浴塗料から、岩盤浴効果を奏するラドンガス、遠赤外線、ならびにマイナスイオンを放射することができ、利用者は、日常生活の中で岩盤浴効果を得ることができ、利用者の利便性を高めることができる。
【０１０４】
この発明の構成と、上述の実施形態との対応において、
この発明の主材は、ポリウレタン１２、ポリウレタン２２ａ、ナイロン２３ａ、ポリウレタン３３ａ、および低反発性ポリウレタン４１ａに対応し、
以下同様に、
ラジウムは、ラジウム粉末１５に対応し、
ブラックシリカは、ブラックシリカ粉末１４に対応し、
炭は、炭粉末１３に対応し、
ポリウレタンは、ポリウレタン３３ａ、および低反発性ポリウレタン４１ａに対応し、
収容部は、パット収容部３２、マスク部７１又はマスク部８１に対応し、
装着部は、サポータ部３１、取付ゴム７２又は取付ゴム８２に対応し、
軟質ポリウレタンフォームは、岩盤浴パット３３、アイマスクパット７３又はマスクフィルタ８３に対応し、
ウレタンフォーム装着具は、岩盤浴サポータ３０、岩盤浴アイマスク７０又は岩盤浴マスク８０に対応し、
クッション材は、マットクッション材４１に対応し、
ゲルマニウム入り繊維を織り込んだ布帛は、マットカバー４２に対応し、
身体に接触する接触部分は、座面部９１及び背凭れ部９２に対応し、
椅子は、岩盤浴チェア９０に対応し、
合成繊維は、岩盤浴繊維２１に対応し、
合成布帛は、岩盤浴靴下２０に対応し、
合成不織布は、帯部１０に対応し、
布テープは、岩盤浴テープ１に対応し、
衣服は、岩盤浴ベスト６０に対応するも、
この発明は、上述の実施形態の構成のみに限定されるものではなく、多くの実施の形態を得ることができる。
【図面の簡単な説明】
【０１０５】
【図１】岩盤浴テープの使用状態の斜視図。
【図２】使用前の岩盤浴テープの斜視図。
【図３】岩盤浴テープの構成の説明図。
【図４】岩盤浴靴下の正面図。
【図５】岩盤浴靴下の拡大正面図。
【図６】岩盤浴繊維の構造を説明する説明図。
【図７】岩盤浴ベストの斜視図。
【図８】使用状態の岩盤浴サポータの斜視図。
【図９】岩盤浴サポータの説明図。
【図１０】岩盤浴パットの拡大断面図。
【図１１】岩盤浴アイマスクの斜視図。
【図１２】岩盤浴マスクの斜視図。
【図１３】岩盤浴マットの斜視図。
【図１４】マットクッション材の拡大断面図。
【図１５】使用状態の岩盤浴マットの幅方向中央付近の縦断面図。
【図１６】別の実施形態の岩盤浴マットの底面図。
【図１７】岩盤浴チェアの斜視図。
【符号の説明】
【０１０６】
１…岩盤浴テープ
１０…帯部
１２…ポリウレタン
１３…炭粉末
１４…ブラックシリカ粉末
１５…ラジウム粉末
２０…岩盤浴靴下
２１…岩盤浴繊維
２２ａ…ポリウレタン
２３ａ…ナイロン
３０…岩盤浴サポータ
３１…サポータ部
３２…パット収容部
３３…岩盤浴パット
３３ａ…ポリウレタン
３３ｂ…孔部
４１…マットクッション材
４１ａ…低反発性ポリウレタン
４１ｂ…孔部
４２…マットカバー
６０…岩盤浴ベスト
７０…岩盤浴アイマスク
７１…マスク部
７２…取付ゴム
７３…アイマスクパット
８０…岩盤浴マスク
８１…マスク部
８２…取付ゴム
８３…マスクフィルタ
９０…岩盤浴チェア
９１…座面部
９２…背凭れ部